(57)【要約】【課題】特定区域内に位置する移動通信端末のユーザに対して特定区域別パーソナル情報を提供するシステム及び方法を提供すること。【解決手段】特定区域へ進入する移動通信端末のＭＩＮ情報を確保する区域管理システムと、上記ＭＩＮ情報と地域識別情報を受け取り、ＨＬＲに上記端末の位置登録を要求し、上記端末に伝送する伝送情報を検索する区域情報管理サーバーと、上記区域情報管理サーバーから上記伝送情報と上記ＭＩＮ情報を受け取り、上記ＨＬＲから上記ＭＩＮ情報にあたる端末の位置情報を取り込み、上記端末が位置しているセルの基地局に上記伝送情報及びＭＩＮ情報を転送するＳＭＳサーバーと、を備える。本発明のシステムによって、ユーザの現在地に応じた差別化した情報をユーザに対して提供することができる。【選択図】図１
2007527144.tif 000002
【特許請求の範囲】
【請求項１】
特定区域に配設され、該区域に進入する移動通信端末のＭＩＮ情報を確保する区域管理システムと、
前記区域管理システムから前記ＭＩＮ情報と前記区域管理システムが配設されている地域の識別情報を受け取り、ＨＬＲに前記移動通信端末の位置登録を要求し、前記ＭＩＮ情報と前記地域識別情報に基づいて前記移動通信端末へ伝送する伝送情報を検索する区域情報管理サーバーと、
前記区域情報管理サーバーから前記伝送情報と前記ＭＩＮ情報を受け取り、前記ＨＬＲから前記ＭＩＮ情報にあたる移動通信端末の位置情報を取り込み、前記位置情報に基づいて前記移動通信端末が位置しているセルの基地局へ前記伝送情報及びＭＩＮ情報を転送するＳＭＳサーバーと、を備えてなる特定区域にある移動情報端末利用者に対する特定区域別パーソナル情報提供システム。
【請求項２】
前記区域管理システムは、移動通信端末から基地局へ送り出す端末情報を受信し、該受信した端末情報からＭＩＮ情報を抽出する請求項１に記載の特定区域別パーソナル情報提供システム。
【請求項３】
前記区域管理システムは、
移動通信端末が基地局へ送り出す端末情報を含む高周波信号を受信するアンテナと、
前記アンテナから受け取った高周波信号を中間周波数信号に変換する高周波処理部と、
前記高周波処理部から受け取った中間周波数信号をデジタル信号に変換し復調した後、該復調したデータからＭＩＮ情報を抽出する基底帯域処理部と、
制御部の制御下で前記ＭＩＮ情報と地域識別情報を前記区域情報管理サーバーに伝送する通信部と、を備えてなる請求項２に記載の特定区域別パーソナル情報提供システム。
【請求項４】
前記区域管理システムは、熱または煙を感知して前記区域での火事発生を感知する火事感知部を更に備えてなる請求項３に記載の特定区域別パーソナル情報提供システム。
【請求項５】
前記高周波処理部は、
前記アンテナから入力された８００ＭＨz帯の高周波信号と１．８ＧＨz帯の高周波信号とを振り分けるダイプレクサーと、
前記ダイプレクサーからそれぞれ入力された高周波信号を増幅する低ノイズ増幅器と、
前記低ノイズ増幅器からそれぞれ入力された高周波信号のうち所望の受信周波数のみを選択して帯域通過させる帯域通過フィルターと、
前記帯域通過フィルターからそれぞれ入力された高周波信号をＰＬＬから入力されたローカル信号と混合して中間周波数信号に変換する下り周波数混合器と、
前記下り周波数混合器からそれぞれ入力された中間周波数信号を増幅する中間周波数処理部と、
前記中間周波数増幅器からそれぞれ入力された中間周波数信号を適正レベルに利得制御する中間周波数信号処理部と、を備えてなる請求項３に記載の特定区域別パーソナル情報提供システム。
【請求項６】
前記区域管理システムは、
移動通信端末から基地局へ送り出す端末情報を受信し、該受信した端末情報からＭＡＣアドレスを抽出し、該ＭＡＣアドレスと前記地域識別情報を前記区域情報管理サーバーに伝送する請求項１に記載の特定区域別パーソナル情報提供システム。
【請求項７】
前記区域情報管理サーバーは、前記区域管理システムから受け取ったＭＡＣアドレスでＭＩＮ情報データベースを検索し、前記ＭＡＣアドレスにマッチしているＭＩＮ情報を検索し、該検索されたＭＩＮ情報と前記地域識別情報を利用して前記ＨＬＲに前記移動通信端末の位置登録を要求し、前記ＭＩＮ情報と前記地域識別情報に基づいて前記移動通信端末に伝送する伝送情報を検索した後、該伝送情報と前記ＭＩＮ情報を前記ＳＭＳサーバーに転送する請求項６に記載の特定区域別パーソナル情報提供システム。
【請求項８】
前記区域管理システムは、自分の管轄対象領域に周期的に特定区域通報周波数信号を送り出し、前記特定区域通報周波数信号を感知した移動通信端末が送り出すブルートゥース信号を受信し、該受信したブルートゥース信号からＭＩＮ情報を抽出する請求項１に記載の特定区域別パーソナル情報提供システム。
【請求項９】
前記移動通信端末は、
前記区域管理システムが送り出す特定区域通報周波数信号を受信することで特定区域内への進入を感知する特定区域感知部と、
前記特定区域感知部の制御下で活性化モードに切り替わり、ＭＩＮ情報をブルートゥース信号に乗せて前記区域管理システムに伝送するブルートゥース信号処理部と、を備えてなる請求項８に記載の特定区域別パーソナル情報提供システム。
【請求項１０】
前記区域管理システムは、
ブルートゥース信号を受信するアンテナと、
前記アンテナを介して特定区域通報周波数信号を周期的に送り出す特定区域通報周波数処理部と、
前記アンテナを介して受信したブルートゥース信号を処理し、ＭＩＮ情報を抽出する受信ブルートゥース信号処理部と、
前記受信ブルートゥース信号処理部で前記ＭＩＮ情報を抽出すれば、通信部を制御して前記ＭＩＮ情報と地域識別情報を前記区域情報管理サーバーに伝送する制御部と、を備えてなる請求項８に記載の特定区域別パーソナル情報提供システム。
【請求項１１】
前記区域管理システムは、熱または煙を感知して前記区域での火事発生を感知する火事感知部を更に備えてなる請求項１０に記載の特定区域別パーソナル情報提供システム。
【請求項１２】
前記区域管理システムは、自分の管轄対象領域に周期的に特定区域通報周波数信号を送り出し、前記特定区域通報周波数信号を感知した移動通信端末が送り出すブルートゥース信号を受信し、該受信したブルートゥース信号からＭＡＣアドレスを抽出し、該ＭＡＣアドレスと前記地域識別情報を前記区域情報管理サーバーに伝送する請求項１に記載の特定区域別パーソナル情報提供システム。
【請求項１３】
前記移動通信端末は、前記区域管理システムが送り出す特定区域通報周波数信号を受信することで特定区域内への進入を感知すれば、ＭＡＣアドレスをブルートゥース信号に乗せて前記区域管理システムに伝送する請求項１２に記載の特定区域別パーソナル情報提供システム。
【請求項１４】
前記区域情報管理サーバーは、前記区域管理システムから受け取ったＭＡＣアドレスでＭＩＮ情報データベースを検索し、前記ＭＡＣアドレスにマッチしているＭＩＮ情報を検索し、該検索されたＭＩＮ情報と前記地域識別情報を利用して前記ＨＬＲに前記移動通信端末の位置登録を要求し、前記ＭＩＮ情報と前記地域識別情報に基づいて前記移動通信端末に伝送する伝送情報を検索した後、該伝送情報と前記ＭＩＮ情報を前記ＳＭＳサーバーに転送する請求項１２に記載の特定区域別パーソナル情報提供システム。
【請求項１５】
前記区域別管理システムは、自分の管轄対象領域に周期的に特定区域通報周波数信号を送り出し、前記特定区域通報周波数信号を感知した移動通信端末が送り出すＷＬＡＮ用周波数帯域である２．４ＧＨz帯のマイクロ波を受信し、該受信したマイクロ波からＭＩＮ情報を抽出する請求項１に記載の特定区域別パーソナル情報提供システム。
【請求項１６】
前記移動通信端末は、
前記区域管理システムが送り出す特定区域通報周波数信号を受信することで特定区域内への進入を感知する特定区域感知部と、
前記特定区域感知部の制御下で活性化モードに切り替わり、ＭＩＮ情報をマイクロ波に乗せて前記区域管理システムに伝送するマイクロ波処理部と、を備えてなる請求項１５に記載の特定区域別パーソナル情報提供システム。
【請求項１７】
前記区域管理システムは、
マイクロ波を受信するアンテナと、
前記アンテナを介して特定区域通報周波数信号を周期的に送り出す特定区域通報周波数処理部と、
前記アンテナを介して受信したマイクロ波を処理し、ＭＩＮ情報を抽出する受信マイクロ波処理部と、
前記受信マイクロ波処理部で前記ＭＩＮ情報を抽出すれば、通信部を制御して前記ＭＩＮ情報と地域識別情報を前記区域情報管理サーバーに伝送する制御部と、を備えてなる請求項１５に記載の特定区域別パーソナル情報提供システム。
【請求項１８】
前記区域管理システムは、熱または煙を感知して前記区域での火事発生を感知する火事感知部を更に備えてなる請求項１７に記載の特定区域別パーソナル情報提供システム。
【請求項１９】
前記区域管理システムは、自分の管轄対象領域に周期的に特定区域通報周波数信号を送り出し、前記特定区域通報周波数信号を感知した移動通信端末が送り出すＷＬＡＮ用周波数帯域である２．４ＧＨz帯のマイクロ波を受信し、該受信したマイクロ波からＭＡＣアドレスを抽出し、該ＭＡＣアドレスと前記地域識別情報を前記区域情報管理サーバーに伝送する請求項１に記載の特定区域別パーソナル情報提供システム。
【請求項２０】
前記移動通信端末は、前記区域管理システムが送り出す特定区域通報周波数信号を受信することで特定区域内への進入を感知すれば、ＭＡＣアドレスをマイクロ波に乗せて前記区域管理システムに伝送する請求項１９に記載の特定区域別パーソナル情報提供システム。
【請求項２１】
前記区域情報管理サーバーは、前記区域管理システムから受け取ったＭＡＣアドレスでＭＩＮ情報データベースを検索し、前記ＭＡＣアドレスにマッチしているＭＩＮ情報を検索し、該検索されたＭＩＮ情報と前記地域識別情報を利用して前記ＨＬＲに前記移動通信端末の位置登録を要求し、前記ＭＩＮ情報と前記地域識別情報に基づいて前記移動通信端末に伝送する伝送情報を検索した後、該伝送情報と前記ＭＩＮ情報を前記ＳＭＳサーバーに転送する請求項１９に記載の特定区域別パーソナル情報提供システム。
【請求項２２】
前記区域管理システムは、自分の管轄対象領域に周期的に特定区域通報周波数信号を送り出し、前記特定区域通報周波数信号を感知した移動通信端末が送り出すＢＣＤＭＡ信号を受信し、該受信したＢＣＤＭＡ信号からＭＩＮ情報を抽出する請求項１に記載の特定区域別パーソナル情報提供システム。
【請求項２３】
前記移動通信端末は、
前記区域管理システムが送り出す特定区域通報周波数信号を受信することで特定区域内への進入を感知する特定区域感知部と、
前記特定区域感知部の制御下で活性化モードに切り替わり、ＭＩＮ情報をＢＣＤＭＡ信号に乗せて前記区域管理システムに伝送するＢＣＤＭＡ信号処理部と、を備えてなる請求項２２に記載の特定区域別パーソナル情報提供システム。
【請求項２４】
前記区域管理システムは、
ＢＣＤＭＡ信号を受信するアンテナと、
前記アンテナを介して特定区域通報周波数信号を周期的に送り出す特定区域通報周波数処理部と、
前記アンテナを介して受信したＢＣＤＭＡ信号を処理し、ＭＩＮ情報を抽出する受信ＢＣＤＭＡ信号処理部と、
前記受信ＢＣＤＭＡ信号処理部で前記ＭＩＮ情報を抽出すれば、通信部を制御して前記ＭＩＮ情報と地域識別情報を前記区域情報管理サーバーに伝送する制御部と、を備えてなる請求項２２に記載の特定区域別パーソナル情報提供システム。
【請求項２５】
前記区域管理システムは、熱または煙を感知して前記区域での火事発生を感知する火事感知部を更に備えてなる請求項２４に記載の特定区域別パーソナル情報提供システム。
【請求項２６】
前記区域管理システムは、自分の管轄対象領域に周期的に特定区域通報周波数信号を送り出し、前記特定区域通報周波数信号を感知した移動通信端末が送り出すＢＣＤＭＡ信号を受信し、該受信したＢＣＤＭＡ信号からＭＡＣアドレスを抽出し、該ＭＡＣアドレスと前記地域識別情報を前記区域情報管理サーバーに伝送する請求項１に記載の特定区域別パーソナル情報提供システム。
【請求項２７】
前記移動通信端末は、前記区域管理システムが送り出す特定区域通報周波数信号を受信することで特定区域内への進入を感知すれば、ＭＡＣアドレスをＢＣＤＭＡ信号に乗せて前記区域管理システムに伝送する請求項２６に記載の特定区域別パーソナル情報提供システム。
【請求項２８】
前記区域情報管理サーバーは、前記区域管理システムから受け取ったＭＡＣアドレスでＭＩＮ情報データベースを検索し、前記ＭＡＣアドレスにマッチしているＭＩＮ情報を検索し、該検索されたＭＩＮ情報と前記地域識別情報を利用して前記ＨＬＲに前記移動通信端末の位置登録を要求し、前記ＭＩＮ情報と前記地域識別情報に基づいて前記移動通信端末に伝送する伝送情報を検索した後、該伝送情報と前記ＭＩＮ情報を前記ＳＭＳサーバーに転送する請求項２６に記載の特定区域別パーソナル情報提供システム。
【請求項２９】
前記区域別管理システムは、自分の管轄対象領域に周期的に特定区域通報周波数信号を送り出し、前記特定区域通報周波数信号を感知した移動通信端末が送り出すジグビー用周波数帯域である２．４ＧＨz帯／９１５ＭＨz帯／８６８ＭＨz帯のマイクロ波を受信し、該受信したマイクロ波からＭＩＮ情報を抽出する請求項１に記載の特定区域別パーソナル情報提供システム。
【請求項３０】
前記移動通信端末は、
前記区域管理システムが送り出す特定区域通報周波数信号を受信することで特定区域内への進入を感知する特定区域感知部と、
前記特定区域感知部の制御下で活性化モードに切り替わり、ＭＩＮ情報をマイクロ波に乗せて前記区域管理システムに伝送するマイクロ波処理部と、を備えてなる請求項２９に記載の特定区域別パーソナル情報提供システム。
【請求項３１】
前記区域管理システムは、
マイクロ波を受信するアンテナと、
前記アンテナを介して特定区域通報周波数信号を周期的に送り出す特定区域通報周波数処理部と、
前記アンテナを介して受信したマイクロ波を処理し、ＭＩＮ情報を抽出する受信マイクロ波処理部と、
前記受信マイクロ波処理部で前記ＭＩＮ情報を抽出すれば、通信部を制御して前記ＭＩＮ情報と地域識別情報を前記区域情報管理サーバーに伝送する制御部と、を備えてなる請求項２９に記載の特定区域別パーソナル情報提供システム。
【請求項３２】
前記区域管理システムは、熱または煙を感知して前記区域での火事発生を感知する火事感知部を更に備えてなる請求項３１に記載の特定区域別パーソナル情報提供システム。
【請求項３３】
前記区域管理システムは、自分の管轄対象領域に周期的に特定区域通報周波数信号を送り出し、前記特定区域通報周波数信号を感知した移動通信端末が送り出すジグビー用周波数帯域である２．４ＧＨz帯／９１５ＭＨz帯／８６８ＭＨz帯のマイクロ波を受信し、該受信したマイクロ波からＭＡＣアドレスを抽出し、該ＭＡＣアドレスと前記地域識別情報を前記区域情報管理サーバーに伝送する請求項１に記載の特定区域別パーソナル情報提供システム。
【請求項３４】
前記移動通信端末は、前記区域管理システムが送り出す特定区域通報周波数信号を受信することで特定区域内への進入を感知すれば、ＭＡＣアドレスをマイクロ波に乗せて前記区域管理システムに伝送する請求項３３に記載の特定区域別パーソナル情報提供システム。
【請求項３５】
前記区域情報管理サーバーは、前記区域管理システムから受け取ったＭＡＣアドレスでＭＩＮ情報データベースを検索し、前記ＭＡＣアドレスにマッチしているＭＩＮ情報を検索し、該検索されたＭＩＮ情報と前記地域識別情報を利用して前記ＨＬＲに前記移動通信端末の位置登録を要求し、前記ＭＩＮ情報と前記地域識別情報に基づいて前記移動通信端末に伝送する伝送情報を検索した後、該伝送情報と前記ＭＩＮ情報を前記ＳＭＳサーバーに転送する請求項３３に記載の特定区域別パーソナル情報提供システム。
【請求項３６】
前記区域管理システムは、自分の管轄対象領域に周期的に特定区域通報周波数信号を送り出し、前記特定区域通報周波数信号を感知した移動通信端末が送り出すラジオ波を受信し、該受信したラジオ波からＭＩＮ情報を抽出する請求項１に記載の特定区域別パーソナル情報提供システム。
【請求項３７】
前記移動通信端末は、
前記区域管理システムが送り出す特定区域通報周波数信号を受信することで特定区域内への進入を感知する特定区域感知部と、
前記特定区域感知部の制御下で活性化モードに切り替わり、ＭＩＮ情報をラジオ波に乗せて前記区域管理システムに伝送するラジオ波処理部と、を備えてなる請求項３６に記載の特定区域別パーソナル情報提供システム。
【請求項３８】
前記区域管理システムは、
ラジオ波を受信するアンテナと、
前記アンテナを介して特定区域通報周波数信号を周期的に送り出す特定区域通報周波数処理部と、
前記アンテナを介して受信したラジオ波を処理し、ＭＩＮ情報を抽出する受信ラジオ波処理部と、
前記受信ラジオ波処理部で前記ＭＩＮ情報を抽出すれば、通信部を制御して前記ＭＩＮ情報と地域識別情報を前記区域情報管理サーバーに伝送する制御部と、を備えてなる請求項３６に記載の特定区域別パーソナル情報提供システム。
【請求項３９】
前記区域管理システムは、熱または煙を感知して前記区域での火事発生を感知する火事感知部を更に備えてなる請求項３８に記載の特定区域別パーソナル情報提供システム。
【請求項４０】
前記区域管理システムは、自分の管轄対象領域に周期的に特定区域通報周波数信号を送り出し、前記特定区域通報周波数信号を感知した移動通信端末が送り出すラジオ波を受信し、該受信したラジオ波からＭＡＣアドレスを抽出し、該ＭＡＣアドレスと前記地域識別情報を前記区域情報管理サーバーに伝送する請求項１に記載の特定区域別パーソナル情報提供システム。
【請求項４１】
前記移動通信端末は、前記区域管理システムが送り出す特定区域通報周波数信号を受信することで特定区域内への進入を感知すれば、ＭＡＣアドレスをラジオ波に乗せて前記区域管理システムに伝送する請求項４０に記載の特定区域別パーソナル情報提供システム。
【請求項４２】
前記区域情報管理サーバーは、前記区域管理システムから受け取ったＭＡＣアドレスでＭＩＮ情報データベースを検索し、前記ＭＡＣアドレスにマッチしているＭＩＮ情報を検索し、該検索されたＭＩＮ情報と前記地域識別情報を利用して前記ＨＬＲに前記移動通信端末の位置登録を要求し、前記ＭＩＮ情報と前記地域識別情報に基づいて前記移動通信端末に伝送する伝送情報を検索した後、該伝送情報と前記ＭＩＮ情報を前記ＳＭＳサーバーに転送する請求項４０に記載の特定区域別パーソナル情報提供システム。
【請求項４３】
前記区域管理システムの管轄対象領域が半径２〜５０ｍである請求項１に記載の特定区域別パーソナル情報提供システム。
【請求項４４】
区域管理システムで自分の管轄対象領域に進入する移動通信端末のＭＩＮ情報を確保する過程と、
前記区域管理システムから受け取った前記ＭＩＮ情報と地域識別情報を利用して区域情報管理サーバーからＨＬＲに位置登録を要求する過程と、
前記区域情報管理サーバーにおいて前記ＭＩＮ情報と地域識別情報に基づいて前記領域から前記移動通信端末に伝送する伝送情報を検索する過程と、
前記伝送情報とＭＩＮ情報をＳＭＳサーバーを介してＳＭＣに転送する過程と、
前記ＳＭＣにおいて前記伝送情報を利用してＳＭＳメッセージを生成し、前記ＭＩＮ情報に基づいて前記ＨＬＲから前記ＭＩＮ情報にあたる移動通信端末の位置情報を取り込む過程と、
前記取り込んだ位置情報に基づいて前記ＳＭＳメッセージ及びＭＩＮ情報をＭＳＣを介して前記移動通信端末が位置するセルの基地局に転送する過程と、
前記基地局において前記ＳＭＳメッセージ及びＭＩＮ情報をデータバーストメッセージタイプに変換し送り出す過程と、含んでなる特定区域別パーソナル情報提供方法。
【請求項４５】
前記区域管理システムにおいて火事発生を感知すれば、区域情報管理サーバーに火事発生を通報する過程と、
前記火事発生通報に応じて前記区域管理システムの管轄領域に位置した移動通信端末のＭＩＮ情報リストと火事発生に係る案内メントを前記ＳＭＳサーバーを介してＳＭＣに転送する過程と、
前記ＳＭＣにおいて前記案内メントを利用してＳＭＳメッセージを生成し、前記ＭＩＮ情報リストに基づいて前記ＨＬＲから当該移動通信端末の位置情報を取り込む過程と、
前記取り込んだ位置情報に基づいて前記ＳＭＳメッセージ及びＭＩＮ情報リストを前記ＭＳＣを介して前記移動通信端末が位置するセルの基地局に転送する過程と、
前記基地局において前記ＳＭＳメッセージ及びＭＩＮ情報をデータバーストメッセージタイプに変換し送り出す過程と、を更に含んでなる請求項４４に記載の特定区域別パーソナル情報提供方法。
【請求項４６】
前記火事発生を通報した区域管理システムが配設されている建物に配設されている他の区域管理システムの管轄領域に位置した移動通信端末のＭＩＮ情報リスト及び火事発生に係る案内メントを前記ＳＭＳサーバーに転送する過程を更に含んでなる請求項４５に記載の特定区域別パーソナル情報提供方法。
【請求項４７】
前記移動通信端末のＭＩＮ情報を確保取得する過程は、
自分の管轄対象領域に進入した移動通信端末が基地局に送り出す端末情報を受信するステップと、
該受信した端末情報からＭＩＮ情報を抽出するステップと、を含んでなる請求項４４に記載の特定区域別パーソナル情報提供方法。
【請求項４８】
前記移動通信端末のＭＩＮ情報を確保する過程は、
周期的に自分の管轄対象領域に特定区域通報周波数信号を送り出すステップと、
前記特定区域通報周波数信号を感知した移動通信端末からブルートゥース信号を受信するステップと、
該受信したブルートゥース信号からＭＩＮ情報を抽出するステップと、を含んでなる請求項４４に記載の特定区域別パーソナル情報提供方法。
【請求項４９】
前記移動通信端末のＭＩＮ情報を確保する過程は、
周期的に自分の管轄対象領域に特定区域通報周波数信号を送り出すステップと、
前記特定区域通報周波数信号を感知した移動通信端末からＷＬＡＮ用周波数帯域である２．４ＧＨz帯のマイクロ波を受信するステップと、
該受信したマイクロ波からＭＩＮ情報を抽出するステップと、を含んでなる請求項４４に記載の特定区域別パーソナル情報提供方法。
【請求項５０】
前記移動通信端末のＭＩＮ情報を確保する過程は、
周期的に自分の管轄対象領域に特定区域通報周波数信号を送り出すステップと、
前記特定区域通報周波数信号を感知した移動通信端末からＢＣＤＭＡ信号を受信するステップと、
該受信したＢＣＤＭＡ信号からＭＩＮ情報を抽出するステップと、を含んでなる請求項４４に記載の特定区域別パーソナル情報提供方法。
【請求項５１】
前記移動通信端末のＭＩＮ情報を確保する過程は、
周期的に自分の管轄対象領域に特定区域通報周波数信号を送り出すステップと、
前記特定区域通報周波数信号を感知した移動通信端末からジグビー用周波数帯域である２．４ＧＨz帯／９１５ＭＨz帯／８６８ＭＨz帯のマイクロ波を受信するステップと、
該受信したマイクロ波からＭＩＮ情報を抽出するステップと、を含んでなる請求項４４に記載の特定区域別パーソナル情報提供方法。
【請求項５２】
前記移動通信端末のＭＩＮ情報を確保する過程は、
周期的に自分の管轄対象領域に特定区域通報周波数信号を送り出すステップと、
前記特定区域通報周波数信号を感知した移動通信端末からラジオ波を受信するステップと、
該受信したラジオ波からＭＩＮ情報を抽出するステップと、を含んでなる請求項４４に記載の特定区域別パーソナル情報提供方法。
【請求項５３】
前記移動通信端末のＭＩＮ情報を確保する過程は、
特定区域へ進入する移動通信端末に位置登録要求メッセージを伝送するステップと、
前記位置登録要求メッセージを受信した移動通信端末からブルートゥース信号を受信するステップと、
該受信したブルートゥース信号からＭＩＮ情報を抽出するステップと、を含んでなる請求項４４に記載の特定区域別パーソナル情報提供方法。
【請求項５４】
前記移動通信端末のＭＩＮ情報を確保する過程は、
特定区域へ進入する移動通信端末に位置登録要求メッセージを伝送するステップと、
前記位置登録要求メッセージを受信した移動通信端末からＷＬＡＮ用周波数帯域である２．４ＧＨz帯のマイクロ波を受信するステップと、
該受信したマイクロ波からＭＩＮ情報を抽出するステップと、を含んでなる請求項４４に記載の特定区域別パーソナル情報提供方法。
【請求項５５】
前記移動通信端末のＭＩＮ情報を確保する過程は、
特定区域へ進入する移動通信端末に位置登録要求メッセージを伝送するステップと、
前記位置登録要求メッセージを受信した移動通信端末からＢＣＤＭＡ信号を受信するステップと、
該受信したＢＣＤＭＡ信号からＭＩＮ情報を抽出するステップと、を含んでなる請求項４４に記載の特定区域別パーソナル情報提供方法。
【請求項５６】
前記移動通信端末のＭＩＮ情報を確保する過程は、
特定区域へ進入する移動通信端末に位置登録要求メッセージを伝送するステップと、
前記位置登録要求メッセージを受信した移動通信端末からジグビー用周波数帯域である２．４ＧＨz帯／９１５ＭＨz帯／８６８ＭＨz帯のマイクロ波を受信するステップと、
該受信したマイクロ波からＭＩＮ情報を抽出するステップと、を含んでなる請求項４４に記載の特定区域別パーソナル情報提供方法。
【請求項５７】
前記移動通信端末のＭＩＮ情報を確保する過程は、
特定区域へ進入する移動通信端末に位置登録要求メッセージを伝送するステップと、
前記位置登録要求メッセージを受信した移動通信端末からラジオ波を受信するステップと、
該受信したラジオ波からＭＩＮ情報を抽出するステップと、を含んでなる請求項４４に記載の特定区域別パーソナル情報提供方法。
【請求項５８】
前記区域管理システムにおいて自分の管轄対象領域へ進入する移動通信端末のＭＡＣ情報を確保する過程と、
前記区域管理システムから受け取った前記ＭＡＣ情報を利用して前記区域情報管理サーバーにおいてＭＩＮ情報データベースを検索し、前記ＭＡＣ情報にマッチしているＭＩＮ情報を検索する過程と、
前記ＭＩＮ情報と、前記ＭＡＣ情報とともに前記区域管理システムから受け取った地域識別情報を利用してＨＬＲに位置登録を要求する過程と、
前記区域情報管理サーバーにおいて前記ＭＩＮ情報と前記地域識別情報に基づいて前記領域から前記移動通信端末に伝送する伝送情報を検索する過程と、
前記伝送情報とＭＩＮ情報をＳＭＳサーバーを介してＳＭＣに転送する過程と、を更に含んでなる請求項４４に記載の特定区域別パーソナル情報提供方法。 
【発明の詳細な説明】
【技術分野】
【０００１】
本発明は、特定区域別パーソナル情報提供システム及び方法に係り、特に特定区域に位置する移動通信加入者に対して差別化した情報を提供することができる特定区域別パーソナル情報提供システム及び方法に関する。
【背景技術】
【０００２】
移動通信の飛躍的な発展に伴い、近年に入って、移動通信端末は単なる音声通信手段という次元を超えて移動通信加入者らに対して様々な情報を提供する媒体として位置付けられつつある。
【０００３】
これによって、従来の移動通信網では、ＳＭＳ（Short Message Services）を利用して移動通信加入者に対して様々な情報を提供していたが、その過程についてみてみれば、次の通りである。
【０００４】
まず、各種情報を提供する情報プロバイダーらから移動通信加入者に対して提供したい情報を受信したＳＭＳサーバー／ＣＢＣ（Cell Broadcasting Center）は、該受信した情報をＳＭＳメッセージに変換してＳＭＣ（SMS Message Center）)に転送し、ＳＭＳメッセージを受け取ったＳＭＣは、ＳＭＳメッセージを受け取る端末の位置情報をＨＬＲ（Home Location Register）から取り込み、ＨＬＲから取り込んだ位置情報に基づいてその位置にあたる移動交換システムにＳＭＳメッセージを伝送する。
【０００５】
上述の如く、移動交換システムに送られたＳＭＳメッセージは、基地局制御器を介して基地局に転送され、基地局からページングチャンネルまたは転送トラフィックチャンネルを通じてＳＭＳメッセージを移動通信端末に伝送する。
【０００６】
一方、移動通信網では、移動通信端末の位置情報がセル単位で管理されている。
【０００７】
以上で説明したように、従来の移動通信網では、ＳＭＳメッセージを利用して移動通信加入者に対して様々な情報を提供しているが、移動通信加入者がセル単位で位置登録されているため、移動通信加入者に対して情報を提供したい時、包括的な内容の情報のみを提供するだけで、移動通信加入者の現在地に応じた差別化した情報などは提供することができなくなるという問題点がある。
【発明の開示】
【発明が解決しようとする課題】
【０００８】
本発明は、上記のような問題点を解決するためになされたものであって、その目的は、特定区域内へ進入する移動通信端末のＭＩＮ情報を確保した後、提供したい情報及びＭＩＮ情報をＳＭＳサーバーに伝送し、提供したい情報を当該移動通信端末に伝送することにより、特定区域に位置する移動通信加入者に対して差別化した情報を提供することができる特定区域別パーソナル情報提供システム及び方法を提供することにある。
【課題を解決するための手段】
【０００９】
上記目的を達成するための本発明の一実施の形態による特定区域別パーソナル情報提供システムは、特定区域に配設され、該区域に進入する移動通信端末のＭＩＮ情報を確保する区域管理システムと、上記区域管理システムから上記ＭＩＮ情報と上記区域管理システムが配設されている地域の識別情報を受け取り、ＨＬＲに上記移動通信端末の位置登録を要求し、上記ＭＩＮ情報と上記地域識別情報に基づいて上記区域から上記移動通信端末へ伝送する伝送情報を検索する区域情報管理サーバーと、上記区域情報管理サーバーから上記伝送情報と上記ＭＩＮ情報を受け取り、上記ＨＬＲから上記ＭＩＮ情報にあたる移動通信端末の位置情報を取り込み、上記位置情報に基づいて上記移動通信端末が位置しているセルの基地局へ上記伝送情報及びＭＩＮ情報を転送するＳＭＳサーバーと、を備えてなることが好ましい。
【００１０】
ここで、上記区域管理システムは、移動通信端末から基地局へ送り出す端末情報を受信し、該受信した端末情報からＭＩＮ情報を抽出することが好ましい。
【００１１】
そして、上記区域管理システムは、移動通信端末が基地局へ送り出す端末情報を含む高周波信号を受信するアンテナと、上記アンテナから受け取った高周波信号を中間周波数信号に変換する高周波処理部と、上記高周波処理部から受け取った中間周波数信号をデジタル信号に変換し復調した後、該復調したデータからＭＩＮ情報を抽出する基底帯域処理部と、制御部の制御下で上記ＭＩＮ情報と地域識別情報を上記区域情報管理サーバーに伝送する通信部と、を備えてなることが好ましい。
【００１２】
また、上記区域管理システムは、熱または煙を感知して上記区域での火事発生を感知する火事感知部を更に備えてなることが好ましい。
【００１３】
そして、上記高周波処理部は、上記アンテナから入力された８００ＭＨz帯の高周波信号と１．８ＧＨz帯の高周波信号とを振り分けるダイプレクサーと、上記ダイプレクサーからそれぞれ入力された高周波信号を増幅する低ノイズ増幅器と、上記低ノイズ増幅器からそれぞれ入力された高周波信号のうち所望の受信周波数のみを選択して帯域通過させる帯域通過フィルターと、上記帯域通過フィルターからそれぞれ入力された高周波信号をＰＬＬから入力されたローカル信号と混合して中間周波数信号に変換する下り周波数混合器と、上記下り周波数混合器からそれぞれ入力された中間周波数信号を増幅する中間周波数処理部と、上記中間周波数増幅器からそれぞれ入力された中間周波数信号を適正レベルに利得制御する中間周波数信号処理部と、を備えてなることが好ましい。
【００１４】
一方、上記区域管理システムは、移動通信端末から基地局へ送り出す端末情報を受信し、該受信した端末情報からＭＡＣアドレスを抽出し、該ＭＡＣアドレスと上記地域識別情報を上記区域情報管理サーバーに伝送することが好ましい。
【００１５】
また、上記区域情報管理サーバーは、上記区域管理システムから受け取ったＭＡＣアドレスでＭＩＮ情報データベースを検索し、上記ＭＡＣアドレスにマッチしているＭＩＮ情報を検索し、該検索されたＭＩＮ情報と上記地域識別情報を利用して上記ＨＬＲに上記移動通信端末の位置登録を要求し、上記ＭＩＮ情報と上記地域識別情報に基づいて上記区域から上記移動通信端末に伝送する伝送情報を検索した後、該伝送情報と上記ＭＩＮ情報を上記ＳＭＳサーバーに転送することが好ましい。
【００１６】
そして、上記区域管理システムは、自分の管轄対象領域に周期的に特定区域通報周波数信号を送り出し、上記特定区域通報周波数信号を感知した移動通信端末が送り出すブルートゥース信号を受信し、該受信したブルートゥース信号からＭＩＮ情報を抽出することが好ましい。
【００１７】
そして、上記移動通信端末は、上記区域管理システムが送り出す特定区域通報周波数信号を受信することで特定区域内への進入を感知する特定区域感知部と、上記特定区域感知部の制御下で活性化モードに切り替わり、ＭＩＮ情報をブルートゥース信号に乗せて上記区域管理システムに伝送するブルートゥース信号処理部と、を備えてなることが好ましい。
【００１８】
そして、上記区域管理システムは、ブルートゥース信号を受信するアンテナと、上記アンテナを介して特定区域通報周波数信号を周期的に送り出す特定区域通報周波数処理部と、上記アンテナを介して受信したブルートゥース信号を処理し、ＭＩＮ情報を抽出する受信ブルートゥース信号処理部と、上記受信ブルートゥース信号処理部で上記ＭＩＮ情報を抽出すれば、通信部を制御して上記ＭＩＮ情報と地域識別情報を上記区域情報管理サーバーに伝送する制御部と、を備えてなることが好ましい。
【００１９】
一方、上記区域管理システムは、自分の管轄対象領域に周期的に特定区域通報周波数信号を送り出し、上記特定区域通報周波数信号を感知した移動通信端末が送り出すＷＬＡＮ用周波数帯域である２．４ＧＨz帯のマイクロ波を受信し、該受信したマイクロ波からＭＩＮ情報を抽出することが好ましい。
【００２０】
また、上記移動通信端末は、上記区域管理システムが送り出す特定区域通報周波数信号を受信することで特定区域内への進入を感知する特定区域感知部と、上記特定区域感知部の制御下で活性化モードに切り替わり、ＭＩＮ情報をマイクロ波に乗せて上記区域管理システムに伝送するマイクロ波処理部と、を備えてなることが好ましい。
【００２１】
そして、上記区域管理システムは、マイクロ波を受信するアンテナと、上記アンテナを介して特定区域通報周波数信号を周期的に送り出す特定区域通報周波数処理部と、上記アンテナを介して受信したマイクロ波を処理し、ＭＩＮ情報を抽出する受信マイクロ波処理部と、上記受信マイクロ波処理部で上記ＭＩＮ情報を抽出すれば、通信部を制御して上記ＭＩＮ情報と地域識別情報を上記区域情報管理サーバーに伝送する制御部と、を備えてなることが好ましい。
【００２２】
一方、上記区域管理システムは、自分の管轄対象領域に周期的に特定区域通報周波数信号を送り出し、上記特定区域通報周波数信号を感知した移動通信端末が送り出すＢＣＤＭＡ信号を受信し、該受信したＢＣＤＭＡ信号からＭＩＮ情報を抽出することが好ましい
また、上記移動通信端末は、上記区域管理システムが送り出す特定区域通報周波数信号を受信することで特定区域内への進入を感知する特定区域感知部と、上記特定区域感知部の制御下で活性化モードに切り替わり、ＭＩＮ情報をＢＣＤＭＡ信号に乗せて上記区域管理システムに伝送するＢＣＤＭＡ信号処理部と、を備えてなることが好ましい。
【００２３】
そして、上記区域管理システムは、ＢＣＤＭＡ信号を受信するアンテナと、上記アンテナを介して特定区域通報周波数信号を周期的に送り出す特定区域通報周波数処理部と、上記アンテナを介して受信したＢＣＤＭＡ信号を処理し、ＭＩＮ情報を抽出する受信ＢＣＤＭＡ信号処理部と、上記受信ＢＣＤＭＡ信号処理部で上記ＭＩＮ情報を抽出すれば、通信部を制御して上記ＭＩＮ情報と地域識別情報を上記区域情報管理サーバーに伝送する制御部と、を備えてなることが好ましい。
【００２４】
一方、上記区域別管理システムは、自分の管轄対象領域に周期的に特定区域通報周波数信号を送り出し、上記特定区域通報周波数信号を感知した移動通信端末が送り出すジグビー用周波数帯域である２．４ＧＨz帯／９１５ＭＨz帯／８６８ＭＨz帯のマイクロ波を受信し、該受信したマイクロ波からＭＩＮ情報を抽出することが好ましい。
【００２５】
また、上記移動通信端末は、上記区域管理システムが送り出す特定区域通報周波数信号を受信することで特定区域内への進入を感知する特定区域感知部と、上記特定区域感知部の制御下で活性化モードに切り替わり、ＭＩＮ情報をマイクロ波に乗せて上記区域管理システムに伝送するマイクロ波処理部と、を備えてなることが好ましい。
【００２６】
そして、上記区域管理システムは、マイクロ波を受信するアンテナと、上記アンテナを介して特定区域通報周波数信号を周期的に送り出す特定区域通報周波数処理部と、上記アンテナを介して受信したマイクロ波を処理し、ＭＩＮ情報を抽出する受信マイクロ波処理部と、上記受信マイクロ波処理部で上記ＭＩＮ情報を抽出すれば、通信部を制御して上記ＭＩＮ情報と地域識別情報を上記区域情報管理サーバーに伝送する制御部と、を備えてなることが好ましい。
【００２７】
一方、上記区域管理システムは、自分の管轄対象領域に周期的に特定区域通報周波数信号を送り出し、上記特定区域通報周波数信号を感知した移動通信端末が送り出すラジオ波を受信し、該受信したラジオ波からＭＩＮ情報を抽出することが好ましい。
【００２８】
また、上記移動通信端末は、上記区域管理システムが送り出す特定区域通報周波数信号を受信することで特定区域内への進入を感知する特定区域感知部と、上記特定区域感知部の制御下で活性化モードに切り替わり、ＭＩＮ情報をラジオ波に乗せて上記区域管理システムに伝送するラジオ波処理部と、を備えてなることが好ましい。
【００２９】
そして、上記区域管理システムは、ラジオ波を受信するアンテナと、上記アンテナを介して特定区域通報周波数信号を周期的に送り出す特定区域通報周波数処理部と、上記アンテナを介して受信したラジオ波を処理し、ＭＩＮ情報を抽出する受信ラジオ波処理部と、上記受信ラジオ波処理部で上記ＭＩＮ情報を抽出すれば、通信部を制御して上記ＭＩＮ情報と地域識別情報を上記区域情報管理サーバーに伝送する制御部と、を備えてなることが好ましい。
【００３０】
一方、本発明の一実施の形態による特定区域別パーソナル情報提供方法は、区域管理システムで自分の管轄対象領域に進入する移動通信端末のＭＩＮ情報を確保する過程と、上記区域管理システムから受け取った上記ＭＩＮ情報と地域識別情報を利用して区域情報管理サーバーからＨＬＲに位置登録を要求する過程と、上記区域情報管理サーバーにおいて上記ＭＩＮ情報と地域識別情報に基づいて上記領域から上記移動通信端末に伝送する伝送情報を検索する過程と、上記伝送情報とＭＩＮ情報をＳＭＳサーバーを介してＳＭＣに転送する過程と、上記ＳＭＣにおいて上記伝送情報を利用してＳＭＳメッセージを生成し、上記ＭＩＮ情報に基づいて上記ＨＬＲから上記ＭＩＮ情報にあたる移動通信端末の位置情報を取り込む過程と、上記取り込んだ位置情報に基づいて上記ＳＭＳメッセージ及びＭＩＮ情報をＭＳＣを介して上記移動通信端末が位置するセルの基地局に転送する過程と、上記基地局において上記ＳＭＳメッセージ及びＭＩＮ情報をデータバーストメッセージタイプに変換し送り出す過程と、含んでなることが好ましい。
【００３１】
また、上記区域管理システムにおいて火事発生を感知すれば、区域情報管理サーバーに火事発生を通報する過程と、上記火事発生通報に応じて上記区域管理システムの管轄領域に位置した移動通信端末のＭＩＮ情報リストと火事発生に係る案内メントを上記ＳＭＳサーバーを介してＳＭＣに転送する過程と、上記ＳＭＣにおいて上記案内メントを利用してＳＭＳメッセージを生成し、上記ＭＩＮ情報リストに基づいて上記ＨＬＲから当該移動通信端末の位置情報を取り込む過程と、上記取り込んだ位置情報に基づいて上記ＳＭＳメッセージ及びＭＩＮ情報リストを上記ＭＳＣを介して上記移動通信端末が位置するセルの基地局に転送する過程と、上記基地局において上記ＳＭＳメッセージ及びＭＩＮ情報をデータバーストメッセージタイプに変換し送り出す過程と、を更に含んでなることが好ましい。
【００３２】
そして、上記火事発生を通報した区域管理システムが配設されている建物に配設されている他の区域管理システムの管轄領域に位置した移動通信端末のＭＩＮ情報リスト及び火事発生に係る案内メントを上記ＳＭＳサーバーに転送する過程を更に含んでなることが好ましい。
【００３３】
また、上記移動通信端末のＭＩＮ情報を確保する過程は、自分の管轄対象領域に進入した移動通信端末が基地局に送り出す端末情報を受信するステップと、該受信した端末情報からＭＩＮ情報を抽出するステップと、を含んでなることが好ましい。
【００３４】
さらに、上記移動通信端末のＭＩＮ情報を確保する過程は、周期的に自分の管轄対象領域に特定区域通報周波数信号を送り出すステップと、上記特定区域通報周波数信号を感知した移動通信端末からブルートゥース信号を受信するステップと、該受信したブルートゥース信号からＭＩＮ情報を抽出するステップと、を含んでなることが好ましい。
【００３５】
また、上記移動通信端末のＭＩＮ情報を確保する過程は、周期的に自分の管轄対象領域に特定区域通報周波数信号を送り出すステップと、上記特定区域通報周波数信号を感知した移動通信端末からＷＬＡＮ用周波数帯域である２．４ＧＨz帯のマイクロ波を受信するステップと、該受信したマイクロ波からＭＩＮ情報を抽出するステップと、を含んでなることが好ましい。
【００３６】
また、上記移動通信端末のＭＩＮ情報を確保する過程は、周期的に自分の管轄対象領域に特定区域通報周波数信号を送り出すステップと、上記特定区域通報周波数信号を感知した移動通信端末からＢＣＤＭＡ信号を受信するステップと、該受信したＢＣＤＭＡ信号からＭＩＮ情報を抽出するステップと、を含んでなることが好ましい。
【００３７】
また、上記移動通信端末のＭＩＮ情報を確保する過程は、周期的に自分の管轄対象領域に特定区域通報周波数信号を送り出すステップと、上記特定区域通報周波数信号を感知した移動通信端末からジグビー用周波数帯域である２．４ＧＨz帯／９１５ＭＨz帯／８６８ＭＨz帯のマイクロ波を受信するステップと、該受信したマイクロ波からＭＩＮ情報を抽出するステップと、を含んでなることが好ましい。
【００３８】
また、上記移動通信端末のＭＩＮ情報を確保する過程は、周期的に自分の管轄対象領域に特定区域通報周波数信号を送り出すステップと、上記特定区域通報周波数信号を感知した移動通信端末からラジオ波を受信するステップと、該受信したラジオ波からＭＩＮ情報を抽出するステップと、を含んでなることが好ましい。
【発明の効果】
【００３９】
以上で説明した本発明の特定区域別パーソナル情報提供システム及び方法によれば、特定区域内へ進入する移動通信端末のＭＩＮ情報を確保し、当該区域へ提供したい情報及び確保されたＭＩＮ情報をＳＭＳサーバーに伝送し、当該区域へ提供したい情報を当該移動通信端末に伝送することにより、特定区域に位置する移動通信加入者に対して差別化した情報を提供することができるようになる。
【００４０】
また、本発明によれば、ＨＬＲで移動通信加入者の現在地を詳しく把握しており、当該移動通信加入者が位置している基地局を利用してページメッセージを伝送するようになるため、無線チャンネルの濫用を防止することができるようになる。
【発明を実施するための最良の形態】
【００４１】
以下、添付した図面を参照して、本発明の好適な実施の形態について詳細に説明するが、本発明がかかる実施の形態によって制限されるものではない。
【００４２】
図１は、本発明の一実施の形態による特定区域別パーソナル情報提供システムの構成を示す図であって、移動通信端末１１０、基地局（Base Station Transceiver System）２００、ＨＬＲ（Home Location Register）２１０、ＳＭＳサーバー２２０、ＳＭＣ（SMS Message Center）２３０、区域管理システム３００、区域情報管理サーバー２４０と、を備えてなる。
【００４３】
このような構成において、移動通信端末１１０は、各種の移動通信サービス事業者（例えば、ＳＫテレコム、ＫＴＦ、ＬＧテレコム、…）が提供する移動通信サービスに加入している移動局であって、携帯電話、ＰＣＳなどが挙げられ、基地局２００から文字メッセージを受信し、それを移動通信加入者に提供する。
【００４４】
基地局２００は、セル単位で配置されており、セル内にある移動通信端末１１０と無線で通信して加入者に移動通信サービスを提供する。
【００４５】
ＨＬＲ２１０は、自分の領域内にあると登録されたすべての移動通信端末１１０に係る加入者パラメーターと現在地情報などを保存し管理するものであって、位置登録要求とともに区域情報管理サーバー２４０から受け取ったＭＩＮ（Mobile Identification Number）情報及び地域識別情報に基づいて位置登録を行う。
【００４６】
ＳＭＳサーバー２２０は、区域情報管理サーバー２４０から受け取った伝送情報及びＭＩＮ情報をＳＭＣ２３０に転送する。
【００４７】
ＳＭＣ２３０は、ＳＭＳサーバー２２０から受け取った伝送情報を利用してＳＭＳメッセージを生成し、ＳＭＳサーバー２２０から受け取ったＭＩＮ情報に基づいてＨＬＲ２１０から当該移動通信端末の位置情報を取り込み、取り込んだ位置情報に基づいてＳＭＳメッセージをＭＳＣ（図示せず）を介して当該移動通信端末が位置しているセルの基地局に転送する。
【００４８】
区域管理システム３００は、特定地域に配置され当該地域へ進入する移動通信端末１１０から基地局２００に周期的に送り出す端末情報からＭＩＮ情報を抽出し、該抽出したＭＩＮ情報及び地域識別情報を区域情報管理サーバー２４０に伝送し、移動通信加入者に提供したい情報を当該移動通信端末１１０に提供できるようにする。
【００４９】
また、区域管理システム３００は、特定地域に配置され当該地域へ進入する移動通信端末１１０から基地局２００に周期的に送り出す端末情報からＭＩＮ情報の代わりにＭＡＣ（Media Access Control）アドレスを抽出し、該抽出したＭＡＣアドレス及び地域識別情報を区域情報管理サーバー２４０に伝送し、移動通信加入者に提供したい情報を当該移動通信端末１１０に提供できるように動作してもよい。
【００５０】
上述した如く、区域管理システム３００は、デパート、地下鉄、ショッピングセンター、高速道路トールゲート、公園、ファストフード店などのように不特定多数の人が集まる場所に配置され、一つの区域管理システム３００でカバーするサービス対象領域は約半径２〜５０ｍ以内であり、多数の区域管理システム３００を利用して特定の場所を複数の区域に分けて細密に管理することができる。
【００５１】
区域情報管理サーバー２４０は、区域管理システム３００からＭＩＮ情報及び地域識別情報を受信すれば、該受信したＭＩＮ情報及び地域識別情報を利用して当該ＨＬＲ２１０に当該移動通信端末の位置登録を要求し、区域管理システム３００から受け取ったＭＩＮ情報に基づいて当該加入者に対して個別的に伝送する情報を検索し、ＭＩＮ情報とともに受け取った地域識別情報に基づいて当該地域へと提供する伝送情報を検索した後、該検索された伝送情報とＭＩＮ情報を当該ＳＭＳサーバー２２０に転送する。
【００５２】
一方、区域情報管理サーバー２４０が区域管理システム３００からＭＩＮ情報の代りにＭＡＣアドレスと地域識別情報を受信すれば、該受信したＭＡＣアドレスでＭＩＮ情報データベースを検索し、当該ＭＡＣアドレスにマッチしているＭＩＮ情報を検索し、該検索されたＭＩＮ情報と区域管理システム３００から受信した地域識別情報を利用して当該ＨＬＲ２１０に当該移動通信端末の位置登録を要求し、ＭＩＮ情報データベースで検索したＭＩＮ情報に基づいて当該加入者に対して個別的に伝送する情報を検索し、区域管理システム３００から受信した地域識別情報に基づいて当該地域へと提供する伝送情報を検索した後、該検索された伝送情報とＭＩＮ情報を当該ＳＭＳサーバー２２０に転送する。
【００５３】
上述したＭＩＮ情報データベースには、ＭＡＣアドレスとＭＩＮ情報が一対一でマッチしている。
【００５４】
上述の如く、区域情報管理サーバー２４０がＨＬＲ２１０に位置登録を要求する時、区域情報管理サーバー２４０は区域管理システム３００から受け取ったＭＩＮ情報または区域管理システム３００から受け取ったＭＡＣアドレスを利用してＭＩＮ情報データベースで検索したＭＩＮ情報に基づき、当該移動通信端末が加入している移動通信事業者のＨＬＲに位置登録を要求するようになる。例えば、受け取ったＭＩＮ情報または検索されたＭＩＮ情報を確認した結果、当該移動通信端末がＳＫテレコムが提供するサービスに加入していれば、当該ＭＩＮ情報及び位置情報をＳＫテレコム網のＨＬＲに伝送する。
【００５５】
また、区域情報管理サーバー２４０は、区域管理システムごとに特定サービス地域に位置している移動通信加入者のＭＩＮ情報を管理する。
【００５６】
図２は、図１における一実施の形態による区域管理システム構成を示す図であって、アンテナ３１０と、高周波処理部３２０と、基底帯域処理部３３０と、通信部３４０と、制御部３５０と、電源部３６０と、を備えてなる。
【００５７】
このような構成において、アンテナ３１０は、特定区域へ進入した移動通信端末１１０が送り出す端末情報を受信するが、８００ＭＨz帯の無線周波信号と１．８ＧＨz帯の無線周波信号を受信することができる。ここで、一つのアンテナを介してセルラーＣＤＭＡ通信に使われる８００ＭＨz帯の無線周波信号とＰＣＳ  ＣＤＭＡ通信に使われる１．８ＧＨz帯の無線周波信号を受信することもでき、２つ以上の互いに異なるアンテナを利用して８００ＭＨz帯の無線周波信号と１．８ＧＨz帯の無線周波信号とを別々に受信することもできる。
【００５８】
高周波処理部３２０は、アンテナ３１０から受信した高周波信号を中間周波数信号に変換し、該変換した中間周波数信号を基底帯域処理部３３０に転送するが、アンテナ３１０から受信した互いに異なる高周波信号、例えば、携帯電話の使用周波数である８００ＭＨz帯の高周波信号とＰＣＳの使用周波数である１．８ＧＨz帯の高周波信号をそれぞれ中間周波数信号に変換する。
【００５９】
基底帯域処理部３３０は、高周波処理部３２０からそれぞれ入力された中間周波数信号をデジタル信号に変換し復調した後、該復調したデータからＭＩＮ情報／（または）ＭＡＣアドレスを抽出する。
【００６０】
通信部３４０は、制御部３５０の制御下で基底帯域処理部３３０で抽出したＭＩＮ情報／ＭＡＣアドレスと地域識別情報を区域情報管理サーバー２４０に伝送する。
【００６１】
図３は、図２における高周波処理部の構成を例示的に示す図であって、ダイプレクサー３２１、低ノイズ増幅器３２２-ａ／３２２-ｂ、ＢＰＦ（Band Pass Filter）３２３-ａ／３２３-ｂ、下り周波数混合器３２４-ａ／３２４-ｂ、ＰＬＬ（Phase Locked Loop）３２５-ａ／３２５-ｂ、中間周波数増幅器３２６-ａ／３２６-ｂ、中間周波数信号処理部３２７-ａ／３２７-ｂと、を備えてなる。
【００６２】
このような構成において、ダイプレクサー３２１は、アンテナ３１０から入力された８００ＭＨz帯の高周波信号と１．８ＧＨz帯の高周波信号とに振り分けて低ノイズ増幅器３２２-ａ／３２２-ｂに入力する。
【００６３】
低ノイズ増幅器３２２-ａ／３２２-ｂは、ダイプレクサー３２１から入力された高周波信号を増幅してＢＦＰ３２３-ａ／３２３-ｂに入力する。
【００６４】
ＢＰＦ３２３-ａ／３２３-ｂは、低ノイズ増幅器３２２-ａ／３２２-ｂから入力された高周波信号から所望の受信周波数のみを選択し、低い挿入損失にて帯域を通過させ、その他の不要な周波数を除去する。
【００６５】
下り周波数混合器３２４-ａ／３２４-ｂは、ＢＰＦ３２３-ａ／３２３-ｂから受信した高周波信号をＰＬＬ３２５-ａ／３２５-ｂから入力されたローカル信号と混合して中間周波数信号に変換する。
【００６６】
ＰＬＬ３２５-ａ／３２５-ｂは、下り周波数混合器３２４-ａ／３２４-ｂに中間周波数信号の変換に必要なローカル信号を供給する。
【００６７】
中間周波数増幅器３２６-ａ／３２６-ｂは、下り周波数混合器３２４-ａ／３２４-ｂから入力された中間周波数信号を増幅し、中間周波数処理部３２７-ａ／３２７-ｂに入力する。
【００６８】
中間周波数信号処理部３２７-ａ／３２７-ｂは、中間周波数増幅器３２６-ａ／３２６-ｂから入力された中間周波数信号を適正レベルに利得制御した後、基底帯域処理部３３０に入力する。
【００６９】
図４は、図１における他の実施の形態による区域管理システム構成を示す図であって、アンテナ３１０と、高周波処理部３２０と、基底帯域処理部３３０と、火事感知部３７０と、通信部３４０と、制御部３５０、及び電源部３６０と、を備えてなる。
【００７０】
このような構成において、アンテナ３１０、高周波処理部３２０、基底帯域処理部３３０、通信部３４０、電源部３６０は、一実施の形態による区域管理システムとその構成及び動作が類似しているので、それらに関する説明を省略する。
【００７１】
なお、火事感知部３７０は、所定の位置に取り付けられている熱感知センサー及び煙感知センサーからなり、当該位置で火事の発生有無を感知し、火事発生を感知した場合には、制御部３５０に火事発生事実を通報する。
【００７２】
制御部３５０は、火事感知部３７０から入力された信号に基づいて区域情報管理サーバー２４０に火事発生を通報する。
【００７３】
図５は、本発明の他の実施の形態による特定区域別パーソナル情報提供システムの構成を示す図であって、移動通信端末１２０と、基地局２００と、ＨＬＲ２１０と、ＳＭＳサーバー２２０と、ＳＭＣ２３０と、区域管理システム４００、及び区域情報管理サーバー２４０と、を備えてなる。
【００７４】
このような構成において、基地局２００、ＨＬＲ２１０、ＳＭＳサーバー２２０、ＳＭＣ２３０、区域情報管理サーバー２４０は、本発明の一実施の形態による特定区域別パーソナル情報提供システムとその構成及び動作が類似しているので、それらに関する説明を省略する。
【００７５】
なお、移動通信端末１２０は、区域管理システム４００が周期的に送り出す特定区域通報周波数信号を受信することによって特定区域内への進入有無を確認し、ブルートゥースチップを活性化モードに切り替え、ＭＩＮ情報またはＭＡＣアドレスをブルートゥース信号に乗せて区域管理システム４００に伝送する。
【００７６】
区域管理システム４００は、特定地域に配置され当該地域に周期的に特定区域通報周波数を送り出すことで当該地域が特定区域であることを示し、特定区域通報周波数信号を受信することによって特定区域内への進入を感知した移動通信端末１２０が送り出すブルートゥース信号を受信してＭＩＮ情報／ＭＡＣアドレスを抽出し、該抽出したＭＩＮ情報／ＭＡＣアドレス及び地域識別情報を区域情報管理サーバー２４０に伝送し、移動通信加入者に対して提供したい情報を当該移動通信端末１２０に提供する。
【００７７】
上述した特定区域通報周波数としては、ＩＳＭ（Industrial Scientific Medical）バンドのうちの９００ＭＨz帯域の周波数を使えばよい。
【００７８】
また、区域管理システム４００は、特定区域通報周波数信号を受信することによっては特定区域内への進入有無が確認できない移動通信端末のために位置登録を要求するメッセージを生成した後、該生成した位置登録要求メッセージをブルートゥース信号に乗せて特定区域に送り出す。
【００７９】
図６は、図５における移動通信端末の構成を示す図であって、キー入力部１２１と、無線処理部１２２と、送受話器部１２３と、ディスプレイ部１２４と、メモリー部１２５と、特定区域感知部１２６と、ブルートゥース信号処理部１２７と、制御部１２８、及び電源部１２９と、を備えてなる。
【００８０】
このような構成において、キー入力部１２１は、電話番号及び各種の設定値の入力のための各種のキーコードを発生させる。
【００８１】
無線処理部１２２は基地局２００と無線データをやり取りし、送受話器部１２３はユーザが応答し聞くことができるようにし、ディスプレイ部１２４はユーザの必要に応じて目視できる移動通信端末１２０の各種状態、及び移動通信端末１２０から提供する情報などを表示する。
【００８２】
メモリー部１２５は、システム動作プログラム及び各種データを保存している。
【００８３】
特定区域感知部１２６は、区域管理システム４００が周期的に送り出している特定区域通報周波数信号を感知し、この特定区域通報周波数信号の感知によってブルートゥース信号処理部１２７の動作モードを制御する。
【００８４】
ブルートゥース信号処理部１２７は、特定区域感知部１２６の制御下で活性化モードに切り替わり、移動通信端末１２０のＭＩＮ情報またはＭＡＣアドレスをブルートゥース信号に乗せて区域管理システム４００に伝送する。
【００８５】
制御部１２８は、移動通信端末１２０の全動作を制御し、電源部１２９は、システム全体に電源を供給する。
【００８６】
一方、特定区域感知部１２６を備えていない移動通信端末１２０は、区域管理システム４００から受信した位置登録要求メッセージに基づき、ブルートゥース信号処理部１２７において移動通信端末１２０のＭＩＮ情報またはＭＡＣアドレスをブルートゥース信号に乗せて区域管理システム４００に伝送する。
【００８７】
図７は、図５における一実施の形態による区域管理システムの構成を示す図であって、アンテナ４１０と、特定区域通報周波数処理部４２０と、受信ブルートゥース信号処理部４３０と、通信部４４０と、制御部４５０、及び電源部４６０と、を備えてなる。
【００８８】
このような構成において、アンテナ４１０は、特定区域に特定区域通報周波数信号を周期的に送り出し、特定区域へ進入した移動通信端末１２０が送り出すブルートゥース信号を受信する。
【００８９】
特定区域通報周波数処理部４２０は、アンテナ４１０を介して特定区域通報周波数信号を周期的に送り出し、特定区域通報周波数信号の受信によって移動通信端末１２０が特定区域内への進入を感知できるようにする。
【００９０】
受信ブルートゥース信号処理部４３０は、アンテナ４１０から受信したブルートゥース信号からＭＩＮ情報またはＭＡＣアドレスを抽出する。
【００９１】
制御部４５０は、受信ブルートゥース信号処理部４３０においてＭＩＮ情報またはＭＡＣアドレスを抽出すれば、通信部４４０を制御してＭＩＮ情報／ＭＡＣアドレスと地域識別情報を区域情報管理サーバー２４０に伝送する。
【００９２】
また、図７における一実施の形態による区域管理システム４００は、特定区域通報周波数信号を感知する特定区域感知部１２６を備えていないため特定区域内への進入有無を確認することができない移動通信端末が位置登録を行えるようにするために、移動通信端末１２０に位置登録を要求する位置登録要求メッセージをブルートゥース信号に乗せて周期的にアンテナ４１０を介して伝送する伝送ブルートゥース信号処理部（図示せず）を更に備えてなる。
【００９３】
図８は、図５における他の実施の形態による区域管理システムの構成を示す図であって、アンテナ４１０と、特定区域通報周波数処理部４２０と、受信ブルートゥース信号処理部４３０と、火事感知部４７０と、通信部４４０と、制御部４５０、及び電源部４６０と、を備えてなる。
【００９４】
このような構成において、アンテナ４１０、特定区域通報周波数処理部４２０、受信ブルートゥース信号処理部４３０、通信部４４０、電源部４６０は、一実施の形態による区域管理システムとその構成及び動作が類似しているので、それらに関する説明を省略する。  なお、火事感知部４７０は、所定の位置に取り付けられている熱感知センサー及び煙感知センサーからなり、当該位置で火事の発生有無を感知し、火事発生を感知した場合には、制御部４５０に火事発生事実を通報する。
【００９５】
制御部４５０は、火事感知部４７０から入力された信号に基づき、区域情報管理サーバー２４０に火事発生を通報する。
【００９６】
また、図８における他の実施の形態による区域管理システム４００は、特定区域感知部１２６を備えていない移動通信端末１２０に位置登録を要求するために、位置登録要求メッセージをブルートゥース信号に乗せて周期的にアンテナ４１０を介して伝送する伝送ブルートゥース信号処理部（図示せず）を更に備えてなる。
【００９７】
図９は、本発明のまた他の実施の形態による特定区域別パーソナル情報提供システムの構成を示す図であって、移動通信端末１３０と、基地局２００と、ＨＬＲ２１０と、ＳＭＳサーバー２２０と、ＳＭＣ２３０と、区域管理システム５００、及び区域情報管理サーバー２４０と、を備えてなる。
【００９８】
このような構成において、基地局２００、ＨＬＲ２１０、ＳＭＳサーバー２２０、ＳＭＣ２３０、区域情報管理サーバー２４０は、本発明の一実施の形態による特定区域別パーソナル情報提供システムとその構成及び動作が類似しているので、それらに関する説明を省略する。
【００９９】
なお、移動通信端末１３０は、区域管理システム５００が周期的に送り出す特定区域通報周波数信号の受信によって特定区域内への進入有無を確認しＷＬＡＮチップを活性化モードに切り替え、ＭＩＮ情報またはＭＡＣアドレスをＷＬＡＮ用周波数帯域である２．４ＧＨz帯のマイクロ波に乗せて区域管理システム５００に伝送する。
【０１００】
区域管理システム５００は、特定地域に配置され当該地域に周期的に特定区域通報周波数を送り出すことで当該地域が特定区域であることを示し、特定区域通報周波数信号の受信によって特定区域内への進入を感知した移動通信端末１３０が送り出すマイクロ波を受信してＭＩＮ情報またはＭＡＣアドレスを抽出し、該抽出したＭＩＮ情報／ＭＡＣアドレス及び地域識別情報を区域情報管理サーバー２４０に伝送し、移動通信加入者に対して提供したい情報を当該移動通信端末１３０に提供する。
【０１０１】
上述した特定区域通報周波数としては、９００ＭＨz帯の周波数を使えばよい。
【０１０２】
また、区域管理システム５００は、特定区域通報周波数信号の受信によっては特定区域内への進入有無を確認することができない移動通信端末のために位置登録を要求するメッセージを生成した後、該生成した位置登録要求メッセージをマイクロ波に乗せて特定区域に送り出す。
【０１０３】
図１０は、図９における移動通信端末の構成を示す図であって、キー入力部１３１と、無線処理部１３２と、送受話器部１３３と、ディスプレイ部１３４と、メモリー部１３５と、特定区域感知部１３６と、マイクロ波処理部１３７と、制御部１３８、及び電源部１３９と、を備えてなる。
【０１０４】
このような構成において、キー入力部１３１、無線処理部１３２、送受話器部１３３、ディスプレイ部１３４、メモリー部１３５、制御部１３８、電源部１３９は、本発明の他の実施の形態による特定区域別パーソナル情報提供システムの移動通信端末とその構成及び動作が類似しているので、それらに関する説明は省略する。
なお、特定区域感知部１３６は、区域管理システム５００が周期的に送り出している特定区域通報周波数信号を感知し、この特定区域通報周波数信号の感知によってマイクロ波処理部１３７の動作モードを制御する。
マイクロ波処理部１３７は、特定区域感知部１３６の制御下で活性化モードに切り替わり、移動通信端末１３０のＭＩＮ情報またはＭＡＣアドレスをマイクロ波に乗せて区域管理システム５００に伝送する。
一方、特定区域感知部１３６を備えていない移動通信端末１３０は、区域管理システム５００から受信した位置登録要求メッセージに基づき、マイクロ波処理部１３７において移動通信端末１３０のＭＩＮ情報またはＭＡＣアドレスをマイクロ波に乗せて区域管理システム５００に伝送する。
図１１は、図９における一実施の形態による区域管理システムの構成を示す図であって、アンテナ５１０と、特定区域通報周波数処理部５２０と、受信マイクロ波処理部５３０と、通信部５４０と、制御部５５０、及び電源部５６０と、を備えてなる。
このような構成において、アンテナ５１０は、特定区域に特定区域通報周波数信号を周期的に送り出し、特定区域へ進入した移動通信端末１３０が送り出すマイクロ波を受信する。
特定区域通報周波数処理部５２０は、アンテナ５１０を介して特定区域通報周波数信号を周期的に送り出し、特定区域通報周波数信号の受信によって移動通信端末１３０が特定区域内への進入を感知できるようにする。
受信マイクロ波処理部５３０は、アンテナ５１０から受信したマイクロ波からＭＩＮ情報またはＭＡＣアドレスを抽出する。
制御部５５０は、受信マイクロ波処理部５３０においてＭＩＮ情報またはＭＡＣアドレスを抽出すれば、通信部５４０を制御してＭＩＮ情報／ＭＡＣアドレスと地域識別情報を区域情報管理サーバー２４０に伝送する。
また、図１１における一実施の形態による区域管理システム５００は、特定区域感知部１３６を備えていない移動通信端末１３０に位置登録を要求するために、位置登録要求メッセージをマイクロ波に乗せて周期的にアンテナ５１０に伝送する伝送マイクロ波処理部（図示せず）を更に備えてなる。
図１２は、図９における他の実施の形態による区域管理システムの構成を示す図であって、アンテナ５１０と、特定区域通報周波数処理部５２０と、受信マイクロ波処理部５３０と、火事感知部５７０と、通信部５４０と、制御部５５０、及び電源部５６０と、を備えてなる。
このような構成において、アンテナ５１０、特定区域通報周波数処理部５２０、受信マイクロ波処理部５３０、通信部５４０、電源部５６０は、一実施の形態による区域管理システムとその構成及び動作が類似しているので、、それらに関する説明は省略する。
なお、火事感知部５７０は、所定の位置に取り付けられている熱感知センサー及び煙感知センサーからなり、当該位置での火事の発生有無を感知し、火事発生を感知した場合には、制御部５５０に火事発生事実を通報する。
制御部５５０は、火事感知部５７０から入力された信号に基づき、区域情報管理サーバー２４０に火事発生を通報する。
また、図１２における他の実施の形態による区域管理システム５００は、特定区域感知部１３６を備えていない移動通信端末１３０に位置登録を要求するために、位置登録要求メッセージをマイクロ波に乗せて周期的にアンテナ５１０を介して伝送する伝送マイクロ波処理部（図示せず）を更に備えてなる。
図１３は、本発明のまた他の実施の形態による特定区域別パーソナル情報提供システムの構成を示す図であって、移動通信端末１４０と、基地局２００と、ＨＬＲ２１０と、ＳＭＳサーバー２２０と、ＳＭＣ２３０と、区域管理システム６００、及び区域情報管理サーバー２４０と、を備えてなる。
このような構成において、基地局２００、ＨＬＲ２１０、ＳＭＳサーバー２２０、ＳＭＣ２３０、区域情報管理サーバー２４０は、本発明の一実施の形態による特定区域別パーソナル情報提供システムとその構成及び動作が類似しているので、それらに関する説明は省略する。
なお、移動通信端末１４０は、区域管理システム６００が周期的に送り出す特定区域通報周波数信号の受信によって特定区域内への進入有無を確認してＢＣＤＭＡ（Binary CDMA）チップを活性化モードに切り替え、ＭＩＮ情報またはＭＡＣアドレスをＢＣＤＭＡ信号に乗せて区域管理システム６００に伝送する。
区域管理システム６００は、特定の地域に配設され当該地域に周期的に特定区域通報周波数を送り出すことで当該地域が特定区域であることを示し、特定区域通報周波数の受信によって特定区域内への進入を感知した移動通信端末１４０が送り出すＢＣＤＭＡ信号を受信してＭＩＮ情報またはＭＡＣアドレスを抽出し、該抽出したＭＩＮ情報／ＭＡＣアドレス及び地域識別情報を区域情報管理サーバー２４０に伝送し、移動通信加入者に対して提供したい情報を当該移動通信端末１４０に提供できるようにする。
上述した特定区域通報周波数としては、９００ＭＨz帯の周波数を使えばよい。
また、区域管理システム６００は、特定区域通報周波数信号の受信によっては特定区域内への進入有無を確認することができない移動通信端末のために位置登録を要求するメッセージを生成した後、該生成した位置登録要求メッセージをＢＣＤＭＡ信号に乗せて特定区域に送り出す。
図１４は、図１３における移動通信端末の構成を示す図であって、キー入力部１４１と、無線処理部１４２と、送受話器部１４３と、ディスプレイ部１４４と、メモリー部１４５と、特定区域感知部１４６と、ＢＣＤＭＡ信号処理部１４７と、制御部１４８、及び電源部１４９と、を備えてなる。
このような構成において、キー入力部１４１、無線処理部１４２、送受話器部１４３、ディスプレイ部１４４、メモリー部１４５、制御部１４８、電源部１４９は、本発明の他の実施の形態による特定区域別パーソナル情報提供システムの移動通信端末とその構成及び動作が類似しているので、それらに関する説明は省略する。
なお、特定区域感知部１４６は、区域管理システム６００が周期的に送り出している特定区域通報周波数信号を感知し、この特定区域通報周波数信号の感知によってＢＣＤＭＡ信号処理部１４７の動作モードを制御する。
ＢＣＤＭＡ信号処理部１４７は、特定区域通報周波数信号感知部１４６の制御下で活性化モードに切り替わり、移動通信端末１４０のＭＩＮ情報またはＭＡＣアドレスをＢＣＤＭＡ信号に乗せて区域管理システム６００に伝送する。
一方、特定区域感知部１４６を備えていない移動通信端末１４０は、区域管理システム６００から受信した位置登録要求メッセージに基づき、ＢＣＤＭＡ信号処理部１４７において移動通信端末１４０のＭＩＮ情報またはＭＡＣアドレスをＢＣＤＭＡ信号に乗せて区域管理システム６００に伝送する。
図１５は、図１３における一実施の形態による区域管理システムの構成を示す図であって、アンテナ６１０と、特定区域通報周波数処理部６２０と、受信ＢＣＤＭＡ信号処理部６３０と、通信部６４０と、制御部６５０、及び電源部６６０と、を備えてなる。
このような構成において、アンテナ６１０は、特定区域に特定区域通報周波数信号を周期的に送り出し、特定区域へ進入した移動通信端末１４０が送り出すＢＣＤＭＡ信号を受信する。
特定区域通報周波数処理部６２０は、アンテナ６１０を介して特定区域通報周波数信号を周期的に送り出し、この特定区域通報周波数信号の受信によって移動通信端末１４０が特定区域内への進入を感知できるようにする。
受信ＢＣＤＭＡ信号処理部６３０は、アンテナ６１０から受信したＢＣＤＭＡ信号からＭＩＮ情報またはＭＡＣアドレスを抽出する。
制御部６５０は、受信ＢＣＤＭＡ信号処理部６３０においてでＭＩＮ情報またはＭＡＣアドレスを抽出すれば、通信部６４０を制御してＭＩＮ情報／ＭＡＣアドレスと地域識別情報を区域情報管理サーバー２４０に伝送する。
また、図１５における一実施の形態による区域管理システム６００は、特定区域感知部１４６を備えていない移動通信端末１４０に位置登録を要求するために、位置登録要求メッセージをＢＣＤＭＡ信号に乗せて周期的にアンテナ６１０を介して伝送する伝送ＢＣＤＭＡ信号処理部（図示せず）を更に備えてなる。
図１６は、図１３における他の実施の形態による区域管理システムの構成を示す図であって、アンテナ６１０と、特定区域通報周波数処理部６２０と、受信ＢＣＤＭＡ信号処理部６３０と、火事感知部６７０と、通信部６４０と、制御部６５０、及び電源部６６０と、を備えてなる。
このような構成において、アンテナ６１０、特定区域通報周波数処理部６２０、受信ＢＣＤＭＡ信号処理部６３０は、一実施の形態による区域管理システムとその構成及び動作が類似しているので、それらに関する説明は省略する。
なお、火事感知部６７０は、所定の位置に取り付けられている熱感知センサー及び煙感知センサーからなり、当該位置での火事の発生有無を感知し、火事発生を感知した場合には、制御部６５０に火事発生事実を通報する。
制御部６５０は、火事感知部６７０から入力された信号に基づき、区域情報管理サーバー２４０に火事発生を通報する。
また、図１６における他の実施の形態による区域管理システム６００は、特定区域感知部１４６を備えていない移動通信端末１４０に位置登録を要求するために、位置登録要求メッセージをＢＣＤＭＡ信号に乗せて周期的にアンテナ６１０を介して伝送する伝送ＢＣＤＭＡ信号処理部（図示せず）を更に備えてなる。
図１７は、本発明のまた他の実施の形態による特定区域別パーソナル情報提供システムの構成を示す図であって、移動通信端末１５０と、基地局２００と、ＨＬＲ２１０と、ＳＭＳサーバー２２０と、ＳＭＣ２３０と、区域管理システム７００、及び区域情報管理サーバー２４０と、を備えてなる。
このような構成において、基地局２００、ＨＬＲ２１０、ＳＭＳサーバー２２０、ＳＭＣ２３０、区域情報管理サーバー２４０は、本発明の一実施の形態による特定区域別パーソナル情報提供システムとその構成及び動作が類似しているので、それらに関する説明は省略する。
なお、移動通信端末１５０は、区域管理システム７００が周期的に送り出す特定区域通報周波数信号の受信によって特定区域内への進入有無を確認してジグビー（ZigBee:IEEE802.15.4）チップを活性化モードに切り替え、ＭＩＮ情報またはＭＡＣアドレスをジグビー用周波数帯域である２．４ＧＨz帯／９１５ＭＨz帯／８６８ＭＨz帯のマイクロ波に乗せて区域管理システム７００に伝送する。
区域管理システム７００は、特定の地域に配設され当該地域に周期的に特定区域通報周波数を送り出すことで当該地域が特定区域であることを示し、特定区域通報周波数の受信によって特定区域内への進入を感知した移動通信端末１５０が送り出すマイクロ波を受信してＭＩＮ情報またはＭＡＣアドレスを抽出し、該抽出したＭＩＮ情報／ＭＡＣアドレス及び地域識別情報を区域情報管理サーバー２４０に伝送し、移動通信加入者に対して提供したい情報を当該移動通信端末１５０に提供できるようにする。
上述した特定区域通報周波数としては、９００ＭＨz帯の周波数を使えばよい。
また、区域管理システム７００は、特定区域通報周波数信号の受信によっては特定区域内への進入有無を確認することができない移動通信端末のために位置登録を要求するメッセージを生成した後、該生成した位置登録要求メッセージをマイクロ波に乗せて特定区域に送り出す。
図１８は、図１７における移動通信端末の構成を示す図であって、キー入力部１５１と、無線処理部１５２と、送受話器部１５３と、ディスプレイ部１５４と、メモリー部１５５と、特定区域感知部１５６と、マイクロ波処理部１５７と、制御部１５８、及び電源部１５９と、を備えてなる。
このような構成において、キー入力部１５１、無線処理部１５２、送受話器部１５３、ディスプレイ部１５４、メモリー部１５５、制御部１５８、電源部１５９は、本発明の他の実施の形態による特定区域別パーソナル情報提供システムの移動通信端末とその構成及び動作が類似しているので、それらに関する説明は省略する。
なお、特定区域感知部１５６は、区域管理システム７００が周期的に送り出している特定区域通報周波数信号を感知し、この特定区域通報周波数信号の感知によってマイクロ波処理部１５７の動作モードを制御する。
マイクロ波処理部１５７は、特定区域通報周波数信号感知部１５６の制御下で活性化モードに切り替わり、移動通信端末１５０のＭＩＮ情報またはＭＡＣアドレスをマイクロ波信号に乗せて区域管理システム７００に伝送する。
一方、特定区域感知部１５６を備えていない移動通信端末１５０は、区域管理システム７００から受信した位置登録要求メッセージに基づき、マイクロ波処理部１５７において移動通信端末１５０のＭＩＮ情報またはＭＡＣアドレスをマイクロ波に乗せて区域管理システム７００に伝送する。
図１９は、図１７における一実施の形態による区域管理システムの構成を示す図であって、アンテナ７１０と、特定区域通報周波数処理部７２０と、受信マイクロ波処理部７３０と、通信部７４０と、制御部７５０、及び電源部７６０と、を備えてなる。
このような構成において、アンテナ７１０は、特定区域に特定区域通報周波数信号を周期的に送り出し、特定区域へ進入した移動通信端末７３０が送り出すマイクロ波を受信する。
特定区域通報周波数処理部７２０は、アンテナ７１０を介して特定区域通報周波数信号を周期的に送り出し、特定区域通報周波数信号の受信によって移動通信端末１５０特定区域内への進入を感知できるようにする。
受信マイクロ波処理部７３０は、アンテナ７１０から受信したマイクロ波からＭＩＮ情報またはＭＡＣアドレスを抽出する。
制御部７５０は、受信マイクロ波処理部７３０においてでＭＩＮ情報またはＭＡＣアドレスを抽出すれば、通信部７４０を制御してＭＩＮ情報／ＭＡＣアドレスと地域識別情報を区域情報管理サーバー２４０に伝送する。
また、図１９における一実施の形態による区域管理システム７００は、特定区域感知部１５６を備えていない移動通信端末１５０に位置登録を要求するために、位置登録要求メッセージをマイクロ波に乗せて周期的にアンテナ７１０を介して伝送する伝送マイクロ波処理部（図示せず）を更に備えてなる。
図２０は、図１７における他の実施の形態による区域管理システムの構成を示す図であって、アンテナ７１０と、特定区域通報周波数処理部７２０と、受信マイクロ波処理部７３０と、火事感知部７７０と、通信部７４０と、制御部７５０、及び電源部７６０と、を備えてなる。
このような構成において、アンテナ７１０、特定区域通報周波数処理部７２０、受信マイクロ波処理部７３０、通信部７４０、電源部７６０は、一実施の形態による区域管理システムとその構成及び動作が類似しているので、それらに関する説明は省略する。
なお、火事感知部７７０は、所定の位置に取り付けられている熱感知センサー及び煙感知センサーからなり、当該位置での火事の発生有無を感知し、火事の発生を感知した場合には、制御部７５０に火事発生事実を通報する。
制御部７５０は、火事感知部７７０から入力された信号に基づき、区域情報管理サーバー２４０に火事発生を通報する。
また、図２０における他の実施の形態による区域管理システム７００は、特定区域感知部１５６を備えていない移動通信端末１５０に位置登録を要求するために、位置登録要求メッセージをマイクロ波に乗せて周期的にアンテナ７１０を介して伝送する伝送マイクロ波処理部（図示せず）を更に備えてなる。
図２１は、本発明のまた他の実施の形態による特定区域別パーソナル情報提供システムの構成を示す図であって、移動通信端末１６０と、基地局２００と、ＨＬＲ２１０と、ＳＭＳサーバー２２０と、ＳＭＣ２３０と、区域管理システム８００、及び区域情報管理サーバー２４０と、を備えてなる。
このような構成において、基地局２００、ＨＬＲ２１０、ＳＭＳサーバー２２０、ＳＭＣ２３０、区域情報管理サーバー２４０は、本発明の一実施の形態による特定区域別パーソナル情報提供システムとその構成及び動作が類似しているので、それらに関する説明は省略する。
なお、移動通信端末１６０は、区域管理システム８００が周期的に送り出す特定区域通報周波数信号の受信によって特定区域内への進入有無を確認してＲＦＩＤ（Radio Frequency Identification:無線認識）チップを活性化モードに切り替え、ＭＩＮ情報またはＭＡＣアドレスをラジオ波（ラジオ波としては、１０ｋＨｚ〜３００ＧＨzが使われるが、主に１３４．２ｋＨｚ帯の低周波が使われる）に乗せて区域管理システム８００に伝送する。
区域管理システム８００は、特定の地域に配設され当該地域に周期的に特定区域通報周波数を送り出すことで当該地域が特定区域であることを示し、特定区域通報周波数信号の受信によって特定区域内への進入を感知した移動通信端末１６０が送り出すラジオ波を受信してＭＩＮ情報／ＭＡＣアドレスを抽出し、該抽出したＭＩＮ情報／ＭＡＣアドレス及び地域識別情報を区域情報管理サーバー２４０に伝送し、当該地域から移動通信加入者に対して提供したい情報を当該移動通信端末１６０に提供できるようにする。
上述した特定区域通報周波数としては、９００ＭＨz帯の周波数を使えばよい。
また、区域管理システム８００は、特定区域通報周波数信号の受信によっては特定区域内への進入有無を確認することができない移動通信端末のために位置登録を要求するメッセージを生成した後、該生成した位置登録要求メッセージをラジオ波に乗せて特定区域に送り出す。
図２２は、図２１における移動通信端末の構成を示す図であって、キー入力部１６１と、無線処理部１６２と、送受話器部１６３と、ディスプレイ部１６４と、メモリー部１６５と、特定区域感知部１６６と、ラジオ波処理部１６７と、制御部１６８、及び電源部１６９と、を備えてなる。
このような構成において、キー入力部１６１、無線処理部１６２、送受話器部１６３、ディスプレイ部１６４、メモリー部１６５、制御部１６８、電源部１６９は、本発明の他の実施の形態による特定区域別パーソナル情報提供システムの移動通信端末とその構成及び動作が類似しているので、それらに関する説明は省略する。
なお、特定区域感知部１６６は、区域管理システム８００が周期的に送り出している特定区域通報周波数信号を感知し、この特定区域通報周波数信号の感知によってラジオ波処理部１６７の動作モードを制御する。
ラジオ波処理部１６７は、特定区域通報周波数信号感知部１６６の制御下で活性化モードに切り替わり、移動通信端末１６０のＭＩＮ情報またはＭＡＣアドレスをラジオ波信号に乗せて区域管理システム８００に伝送する。
一方、特定区域感知部１６６を備えていない移動通信端末１６０は、区域管理システム８００から受信した位置登録要求メッセージに基づき、ラジオ波処理部１６７において移動通信端末１６０のＭＩＮ情報またはＭＡＣアドレスをラジオ波に乗せて区域管理システム８００に伝送する。
図２３は、図２１における一実施の形態による区域管理システムの構成を示す図であって、アンテナ８１０と、特定区域通報周波数処理部８２０と、受信ラジオ波処理部８３０と、通信部８４０と、制御部８５０、及び電源部８６０と、を備えてなる。
このような構成において、アンテナ８１０は、特定区域に特定区域通報周波数信号を周期的に送り出し、特定区域へ進入した移動通信端末８３０が送り出すラジオ波を受信する。
特定区域通報周波数処理部８２０は、アンテナ８１０を介して特定区域通報周波数信号を周期的に送り出し、特定区域通報周波数信号の受信によって移動通信端末１６０が特定区域内への進入を感知できるようにする。
受信ラジオ波処理部８３０は、アンテナ８１０から受信したラジオ波からＭＩＮ情報またはＭＡＣアドレスを抽出する。
制御部８５０は、受信ラジオ波処理部８３０においてＭＩＮ情報またはＭＡＣアドレスを抽出すれば、通信部８４０を制御してＭＩＮ情報／ＭＡＣアドレスと地域識別情報を区域情報管理サーバー２４０に伝送する。
また、図２３における一実施の形態による区域管理システム８００は、特定区域感知部１６６を備えていない移動通信端末１６０に位置登録を要求するために、位置登録要求メッセージをラジオ波に乗せて周期的にアンテナ８１０を介して伝送する伝送ラジオ波処理部（図示せず）を更に備えてなる。
図２４は、図２１における他の実施の形態による区域管理システムの構成を示す図であって、アンテナ８１０と、特定区域通報周波数処理部８２０と、受信ラジオ波処理部８３０と、火事感知部８７０と、通信部８４０と、制御部８５０、及び電源部８６０と、を備えてなる。
このような構成において、アンテナ８１０、特定区域通報周波数処理部８２０、受信ラジオ波処理部８３０、通信部８４０、電源部８６０は、一実施の形態による区域管理システムとその構成及び動作が類似しているので、それらに関する説明は省略する。
なお、火事感知部８７０は、所定の位置に取り付けられている熱感知センサー及び煙感知センサーからなり、当該位置での火事の発生有無を感知し、火事発生を感知した場合には、制御部８５０に火事発生事実を通報する。
制御部８５０は、火事感知部８７０から入力された信号に基づき、区域情報管理サーバー２４０に火事発生を通報する。
また、図２４における他の実施の形態による区域管理システム８００は、特定区域感知部１６６を備えていない移動通信端末１６０に位置登録を要求するために、位置登録要求メッセージをラジオ波に乗せて周期的にアンテナ８１０を介して伝送する伝送ラジオ波処理部（図示せず）を更に備えてなる。
図２５ａ及び図２５ｂは、本発明の一実施の形態による特定区域別パーソナル情報提供方法を説明するためのフローチャートであって、図１ないし図４を参照して説明を進めていく。
まず、区域管理システム３００は、区域管理システム３００が管轄するサービス地域に存在する移動通信端末１１０が基地局に送り出す端末情報を受信し、該受信した端末情報からＭＩＮ情報を抽出する（Ｓ１０、Ｓ１２）。
そして、該抽出したＭＩＮ情報と地域識別情報を区域情報管理サーバー２４０に伝送する（Ｓ１４）。
上記過程Ｓ１４において区域管理システム３００からＭＩＮ情報と地域識別情報を受け取った区域情報管理サーバー２４０は、該受け取ったＭＩＮ情報に基づいて当該加入者が加入している移動通信事業者を確認し、該確認された移動通信事業者の移動通信網に備えられているＨＬＲ２１０にＭＩＮ情報と地域識別情報を伝送し位置登録を要求する（Ｓ１６、Ｓ１８）。
上記過程Ｓ１８を通じて位置登録を要求されたＨＬＲ２１０は、位置登録要求とともに受け取ったＭＩＮ情報と地域識別情報に基づいて位置登録を行う。
次いで、上記過程Ｓ１４を通じて区域管理システム３００から受け取ったＭＩＮ情報に基づいて当該加入者に対して個別的に伝送する情報を検索し、ＭＩＮ情報とともに受け取った地域識別情報に基づいて当該地域へと提供する情報を検索する（Ｓ２０）。
次いで、上記過程Ｓ２０において検索された伝送情報とＭＩＮ情報を当該ＳＭＳサーバー２２０に転送する（Ｓ２２）。
上記過程Ｓ２２を通じて区域情報管理サーバー２４０からＭＩＮ情報にあたる移動通信端末に伝送する伝送情報を受け取ったＳＭＳサーバー２２０は、受け取った伝送情報及びＭＩＮ情報をＳＭＣ２３０に転送し、ＳＭＳサーバー２２０から伝送情報及びＭＩＮ情報を受け取ったＳＭＣ２３０は、該受け取った伝送情報を利用してＳＭＳメッセージを生成し、該受け取ったＭＩＮ情報に基づいてＨＬＲ２１０から当該移動通信端末の位置情報を取り込む（Ｓ２４、Ｓ２６、Ｓ２８）。
次いで、上記過程Ｓ２８を通して取り込んだ位置情報に基づいてＳＭＳメッセージ及びＭＩＮ情報をＭＳＣ（Mobile Switching Center)を介して当該移動通信端末が位置しているセルの基地局に転送する（Ｓ３０）。
上記過程Ｓ３０を通じてＳＭＳメッセージ及びＭＩＮ情報を受け取った基地局は、該受け取ったＳＭＳメッセージ及びＭＩＮ情報をページングチャンネルのデータバーストメッセージに乗せて当該移動通信端末に伝送する（Ｓ３２）。
上記の如く、特定区域へ進入する移動通信端末が検出されれば、提供したい情報をＳＭＳメッセージを利用して当該移動通信端末に伝送する間、所定の区域管理システム３００に備えられている火事感知部３７０で火事の発生を感知すれば、該火事を感知した区域管理システム３００は、区域情報管理サーバー２４０に火事発生を通報する（Ｓ３４、Ｓ３６）。
上記過程Ｓ３６において区域管理システム３００から火事発生を通報された区域情報管理サーバー２４０は、火事発生を通報した区域管理システム３００の管轄領域に位置する移動通信端末のＭＩＮ情報リストと火事発生に係る案内メント当該ＳＭＳサーバー２２０に転送する（Ｓ３８）。
上記過程Ｓ３８を通じて区域情報管理サーバー２４０からＭＩＮ情報リストと案内メントを受け取ったＳＭＳサーバー２２０は、該受け取った案内メント及びＭＩＮ情報リストをＳＭＣ２３０に伝送し、ＳＭＣ２３０は、受け取った案内メントを利用してＳＭＳメッセージを生成し、受け取ったＭＩＮ情報リストに基づいてＨＬＲ２１０から当該移動通信端末の位置情報を取り込む（Ｓ４０、Ｓ４２、Ｓ４４）。
次いで、上記過程Ｓ４４において取り込んだ位置情報に基づいてＳＭＳメッセージ及びＭＩＮ情報を、ＭＳＣ（図示せず）を介して当該移動通信端末が位置しているセルの基地局に転送する（Ｓ４６）。
上記過程Ｓ４６を通じて案内メント及びＭＩＮ情報を受け取った基地局は、該受け取ったＳＭＳメッセージ及びＭＩＮ情報をページングチャンネルのデータバーストメッセージに乗せて当該移動通信端末に伝送する（Ｓ４８）。
一方、上記過程Ｓ３６において所定の区域管理システム３００から火事発生を通報された区域情報管理サーバー２４０は、当該区域管理システム３００が配設された建物に配設されている他の区域管理システムの管轄領域に位置している移動通信加入者らにも火事発生事実が通報できるように火事発生に係る案内メント及び当該管理区域システムの管轄領域に位置している移動通信端末のＭＩＮ情報リストを当該ＳＭＳサーバー２２０に転送する。
一方、上記過程Ｓ１２において区域管理システム３００が移動通信端末１１０の端末情報からＭＩＮ情報の代りにＭＡＣアドレスを抽出する場合には、区域情報管理サーバー２４０に該抽出したＭＡＣアドレスと地域識別情報を伝送し、区域管理システム３００からＭＡＣアドレスと地域識別情報を受け取った区域情報管理サーバー２４０は、区域管理システム３００から受け取ったＭＡＣアドレスでＭＩＮ情報データベースを検索し、区域情報管理サーバー２４０から受け取ったＭＡＣアドレスにマッチしているＭＩＮ情報を検索する。次いで、該検索されたＭＩＮ情報に基づいて当該加入者が加入している移動通信事業者を確認し、該確認された移動通信事業者の移動通信網に備えられているＨＬＲ２１０にＭＩＮ情報と地域識別情報を伝送し位置登録を要求する。そして、該検索されたＭＩＮ情報を利用して当該加入者に対して個別的に伝送する情報を検索し、地域識別情報に基づいて当該地域へと提供する情報を検索した後、該検索された伝送情報とＭＩＮ情報を当該ＳＭＳサーバー２２０に転送する。
図２６ａ及び図２６ｂは、本発明の他の実施の形態による特定区域別パーソナル情報提供方法を説明するためのフローチャートであって、図５ないし図８を参照して説明を進めていく。
まず、区域管理システム４００は、周期的に自分の管轄サービス地域に特定区域通報周波数信号を送り出し（Ｓ５０）、区域管理システム４００が送り出す特定区域通報周波数信号を感知した移動通信端末１２０は、ブルートゥースチップの動作モードを活性化させ、自分のＭＩＮ情報をブルートゥース信号に乗せて区域管理システム４００に伝送する。
上記の如く、移動通信端末１２０が送り出すブルートゥース信号は、区域管理システム４００が受信し、区域管理システム４００は、該受信したブルートゥース信号からＭＩＮ情報を抽出し（Ｓ５２、Ｓ５４）、該抽出したＭＩＮ情報と地域識別情報を区域情報管理サーバー２４０に伝送する（Ｓ５６）。
上記過程Ｓ５６において区域管理システム４００からＭＩＮ情報と地域識別情報を受け取った区域情報管理サーバー２４０は、該受け取ったＭＩＮ情報に基づいて当該加入者が加入している移動通信事業者を確認し、該確認された移動通信事業者の移動通信網に備えられているＨＬＲ２１０にＭＩＮ情報と地域識別情報を伝送し位置登録を要求する（Ｓ５８、Ｓ６０）。
上記過程Ｓ６０において位置登録を要求されたＨＬＲ２１０は、位置登録要求とともに受け取ったＭＩＮ情報と地域識別情報に基づいて位置登録を行う。
次いで、上記過程Ｓ５６を通じて区域管理システム４００から受け取ったＭＩＮ情報に基づいて当該加入者に対して個別的に伝送する情報を検索し、ＭＩＮ情報とともに受け取った地域識別情報に基づいて当該地域へと提供する情報を検索する（Ｓ６２）。
次いで、上記過程Ｓ６２において検索された情報とＭＩＮ情報を当該ＳＭＳサーバー２２０に転送する（Ｓ６４）。
上記過程Ｓ６４を通じて区域情報管理サーバー２４０からＭＩＮ情報にあたる移動通信端末に伝送する情報を受け取ったＳＭＳサーバー２２０は、該受け取った伝送情報及びＭＩＮ情報をＳＭＣ２３０に転送し、ＳＭＳサーバー２２０から伝送情報及びＭＩＮ情報を受け取ったＳＭＣ２３０は、該受け取った伝送情報を利用してＳＭＳメッセージを生成し、該受け取ったＭＩＮ情報に基づいてＨＬＲ２１０から当該移動通信端末の位置情報を取り込む（Ｓ６６、Ｓ６８、Ｓ７０）。
次いで、上記過程Ｓ７０から取り込んだ位置情報に基づいてＳＭＳメッセージ及びＭＩＮ情報を、ＭＳＣ（図示せず）を介して当該移動通信端末が位置しているセルの基地局に転送する（Ｓ７２）。
上記過程Ｓ７２を通じてＳＭＳメッセージ及びＭＩＮ情報を受け取った基地局は、該受け取ったＳＭＳメッセージ及びＭＩＮ情報をページングチャンネルのデータバーストメッセージに乗せて当該移動通信端末に伝送する（Ｓ７４）。
上記の如く、特定区域へ進入する移動通信端末が検出されれば、提供したい情報をＳＭＳメッセージを利用して当該移動通信端末に伝送する間、所定の区域管理システム４００に備えられている火事感知部４７０で火事発生を感知すれば、区域情報管理サーバー２４０に火事発生を通報する（Ｓ７６、Ｓ７８）。
上記過程Ｓ７８において区域管理システム４００から火事発生を通報された区域情報管理サーバー２４０は、火事発生を通報した区域管理システム４００の管轄領域に位置している移動通信端末のＭＩＮ情報リストと火事発生に係る案内メントを当該ＳＭＳサーバー２２０に転送する（Ｓ８０）。
上記過程Ｓ８０を通じて区域情報管理サーバー２４０からＭＩＮ情報リストと案内メントを受け取ったＳＭＳサーバー２２０は、該受け取った案内メント及びＭＩＮ情報リストをＳＭＣ２３０に伝送し、ＳＭＣ２３０は、該受け取った案内メントを利用してＳＭＳメッセージを生成し、該受け取ったＭＩＮ情報リストに基づいてＨＬＲ２１０から当該移動通信端末の位置情報を取り込む（Ｓ８２、Ｓ８４、Ｓ８６）。
次いで、上記過程Ｓ８６において取り込んだ位置情報に基づいてＳＭＳメッセージ及びＭＩＮ情報を、ＭＳＣ（図示せず）を介して当該移動通信端末が位置しているセルの基地局に転送する（Ｓ８８）。
上記過程Ｓ８８を通じて伝送情報及びＭＩＮ情報を受け取った基地局は、該受け取った伝送情報及びＭＩＮ情報をページングチャンネルのデータバーストメッセージに乗せて当該移動通信端末に伝送する（Ｓ９０）。
なお、上記過程Ｓ５０ないし過程Ｓ５２を、区域管理システム４００が位置登録要求メッセージを利用して特定区域へ進入する移動通信端末１２０に位置登録を要求し、位置登録を要求された移動通信端末１２０からＭＩＮ情報を含むブルートゥース信号を受信する過程に代替してもよい。
一方、上記過程Ｓ５０を通じて区域管理システム４００が送り出す特定区域通報周波数信号を感知した移動通信端末１２０が、ＭＩＮ情報の代りにＭＡＣアドレスをブルートゥース信号に乗せて区域管理システム４００に伝送する場合、移動通信端末１２０が送り出したブルートゥース信号を受信した区域管理システム４００は、該受信したブルートゥース信号からＭＡＣアドレスを抽出して地域識別情報とともに区域情報管理サーバー２４０に伝送し、区域管理システム４００からＭＡＣアドレスと地域識別情報を受け取った区域情報管理サーバー２４０は、区域管理システム４００から受け取ったＭＡＣアドレスでＭＩＮ情報データベースを検索し、当該ＭＡＣアドレスにマッチしているＭＩＮ情報を検索する。次いで、該検索されたＭＩＮ情報に基づいて当該加入者が加入している移動通信事業者を確認し、該確認された移動通信事業者の移動通信網に備えられているＨＬＲ２１０にＭＩＮ情報と地域識別情報を伝送し位置登録を要求する。そして、検索したＭＩＮ情報に基づいて当該加入者に対して個別的に伝送する情報を検索し、地域識別情報に基づいて当該地域へと提供する情報を検索した後、該検索された伝送情報とＭＩＮ情報を当該ＳＭＳサーバー２２０に転送する。
図２７ａ及び図２７ｂは、本発明のまた他の実施の形態による特定区域別パーソナル情報提供方法を説明するためのフローチャートであって、図９ないし図１２を参照して説明を進めていく。
まず、区域管理システム５００は、周期的に自分の管轄サービス地域に特定区域通報周波数を送り出し（Ｓ１００）、区域管理システム５００が送り出す特定区域通報周波数を感知した移動通信端末１３０は、ＷＬＡＮチップの動作モードを活性化させ、自分のＭＩＮ情報をＷＬＡＮ用周波数帯域である２．４ＧＨz帯のマイクロ波に乗せて区域管理システム５００に伝送する。
上記の如く、移動通信端末１３０が送り出すマイクロ波は、区域管理システム５００が受信し、区域管理システム５００は、該受信したマイクロ波からＭＩＮ情報を抽出し（Ｓ１０２、Ｓ１０４）、該抽出したＭＩＮ情報と地域識別情報を区域情報管理サーバー２４０に伝送する（Ｓ１０６）。
上記過程Ｓ１０６において区域管理システム５００からＭＩＮ情報と地域識別情報を受け取った区域情報管理サーバー２４０は、該受け取ったＭＩＮ情報に基づいて当該加入者が加入している移動通信事業者を確認し、該確認された移動通信事業者の移動通信網に供えられているＨＬＲに該抽出したＭＩＮ情報と地域識別情報を伝送し位置登録を要求する（Ｓ１０８、Ｓ１１０）。
上記過程S１１０において位置登録を要求されたＨＬＲ２１０は、位置登録要求とともに受け取ったＭＩＮ情報と地域識別情報に基づいて位置登録を行う。
次いで、上記過程Ｓ１０６を通じて区域管理システム５００から受け取ったＭＩＮ情報に基づいて当該加入者に対して個別的に伝送する情報を検索し、ＭＩＮ情報とともに受け取った地域識別情報に基づいて当該地域へと提供する情報を検索する（Ｓ１１２）。
次いで、上記過程Ｓ１１２において検索された情報とＭＩＮ情報を当該ＳＭＳサーバー２２０に転送する（Ｓ１１４）。
上記過程Ｓ１１４を通じて区域情報管理サーバー２４０からＭＩＮ情報にあたる移動通信端末に伝送する情報を受け取ったＳＭＳサーバー２２０は、該受け取った伝送情報及びＭＩＮ情報をＳＭＣ２３０に転送し、ＳＭＳサーバー２２０から伝送情報及びＭＩＮ情報を受け取ったＳＭＣ２３０は、該受け取った伝送情報を利用してＳＭＳメッセージを生成し、該受け取ったＭＩＮ情報に基づいてＨＬＲ２１０から当該移動通信端末の位置情報を取り込む（Ｓ１１６、Ｓ１１８、Ｓ１２０）。
次いで、上記過程Ｓ１２０において取り込んだ位置情報に基づいてＳＭＳメッセージ及びＭＩＮ情報を、ＭＳＣ（図示せず）を介して当該移動通信端末が位置しているセルの基地局に転送する（Ｓ１２２）。
上記過程Ｓ１２２を通じて伝送情報及びＭＩＮ情報を受け取った基地局は、該受け取った伝送情報及びＭＩＮ情報をページングチャンネルのデータバーストメッセージに乗せて当該移動通信端末に伝送する（Ｓ１２４）。
上記の如く、特定区域へ進入する移動通信端末が検出されれば、提供したい情報をＳＭＳメッセージを利用して当該移動通信端末に伝送する間、所定の区域管理システム５００に備えられている火事感知部５７０で火事発生を感知すれば、区域情報管理サーバー２４０に火事発生を通報する（Ｓ１２６、Ｓ１２８）。
上記過程Ｓ１２８において区域管理システム５００から火事発生を通報された区域情報管理サーバー２４０は、火事発生を通報した区域管理システム５００の管轄領域に位置している移動通信端末のＭＩＮ情報リストと火事発生に係る案内メントを当該ＳＭＳサーバー２２０に転送する（Ｓ１３０）。
上記過程Ｓ１３０を通じて区域情報管理サーバー２４０からＭＩＮ情報リストと案内メントを受け取ったＳＭＳサーバー２２０は、該受け取った案内メント及びＭＩＮ情報リストをＳＭＣ２３０に伝送し、ＳＭＣ２３０は、該受け取った案内メントを利用してＳＭＳメッセージを生成し、該受け取ったＭＩＮ情報リストに基づいてＨＬＲ２１０から当該移動通信端末の位置情報を取り込む（Ｓ１３２、Ｓ１３４、Ｓ１３６）。
次いで、上記過程Ｓ１３６において取り込んだ位置情報に基づいてＳＭＳメッセージ及びＭＩＮ情報を、ＭＳＣ（図示せず）を介して当該移動通信端末が位置しているセルの基地局に転送する（Ｓ１３８）。  
上記過程Ｓ１３８を通じて伝送情報及びＭＩＮ情報を受け取った基地局は、該受け取った伝送情報及びＭＩＮ情報をページングチャンネルのデータバーストメッセージに乗せて当該移動通信端末に伝送する（Ｓ１４０）。
なお、上記過程Ｓ１００ないし過程Ｓ１０２を、区域管理システム５００が位置登録要求メッセージを利用して特定区域へ進入する移動通信端末１３０に位置登録を要求し、位置登録を要求された移動通信端末１３０からＭＩＮ情報を含むマイクロ波を受信する過程に代替してもよい。
一方、上記過程Ｓ１００を通じて区域管理システム５００が送り出す特定区域通報周波数信号を感知した移動通信端末１３０が、ＭＩＮ情報の代りにＭＡＣアドレスをマイクロ波に乗せて区域管理システム５００に伝送する場合、移動通信端末１３０が送り出したマイクロ波を受信した区域管理システム５００は、該受信したマイクロ波からＭＡＣアドレスを抽出して地域識別情報とともに区域情報管理サーバー２４０に伝送し、区域管理システム５００からＭＡＣアドレスと地域識別情報を受け取った区域情報管理サーバー２４０は、区域管理システム５００から受け取ったＭＡＣアドレスでＭＩＮ情報データベースを検索し、当該ＭＡＣアドレスにマッチしているＭＩＮ情報を検索する。次いで、該検索されたＭＩＮ情報に基づいて当該加入者が加入している移動通信事業者を確認し、該確認された移動通信事業者の移動通信網に備えられているＨＬＲ２１０にＭＩＮ情報と地域識別情報を伝送し位置登録を要求する。そして、検索されたＭＩＮ情報に基づいて当該加入者に対して個別的に伝送する情報を検索し、地域識別情報に基づいて当該地域へと提供する情報を検索した後、該検索された伝送情報とＭＩＮ情報を当該ＳＭＳサーバー２２０に転送する。
図２８ａ及び図２８ｂは、本発明のまた他の実施の形態による特定区域別パーソナル情報提供方法を説明するためのフローチャートであって、図１３ないし図１６を参照して説明する。
まず、区域管理システム６００は、周期的に自分の管轄サービス地域に特定区域通報周波数信号を送り出し（Ｓ１５０）、区域管理システム６００が送り出す特定区域通報周波数信号を感知した移動通信端末１４０はＢＣＤＭＡチップの動作モードを活性化させ、自分のＭＩＮ情報をＢＣＤＭＡ信号に乗せて区域管理システム６００に伝送する。
上記の如く、移動通信端末１４０が送り出すＢＣＤＭＡ信号は、区域管理システム６００が受信し、区域管理システム６００は、該受信したＢＣＤＭＡ信号からＭＩＮ情報を抽出し（Ｓ１５２、Ｓ１５４）、該抽出したＭＩＮ情報と地域識別情報を区域情報管理サーバー２４０に伝送する（Ｓ１５６）。
上記過程Ｓ１５６において区域管理システム６００からＭＩＮ情報と地域識別情報を受け取った区域情報管理サーバー２４０は、該受け取ったＭＩＮ情報に基づいて当該加入者が加入している移動通信事業者を確認し、該確認された移動通信事業者の移動通信網に備えられているＨＬＲ２１０に抽出されたＭＩＮ情報と地域識別情報を伝送し位置登録を要求する（Ｓ１５８、Ｓ１６０）。
上記過程Ｓ１６０において位置登録を要求されたＨＬＲ２１０は、位置登録要求とともに受け取ったＭＩＮ情報と地域識別情報に基づいて位置登録を行う。
次いで、上記過程Ｓ１５６を通じて区域管理システム６００から受け取ったＭＩＮ情報に基づいて当該加入者に対して個別的に伝送する情報を検索し、ＭＩＮ情報とともに受け取った地域識別情報に基づいて当該地域へと提供する情報を検索する（Ｓ１６２）。
次いで、上記過程Ｓ１６２において検索された伝送情報とＭＩＮ情報を当該ＳＭＳサーバー２２０に転送する（Ｓ１６４）。
上記過程Ｓ１６４を通じて区域情報管理サーバー２４０からＭＩＮ情報にあたる移動通信端末に伝送する情報を受け取ったＳＭＳサーバー２２０は、該受け取った伝送情報及びＭＩＮ情報をＳＭＣ２３０に転送し、ＳＭＳサーバー２２０から伝送情報及びＭＩＮ情報を受け取ったＳＭＣ２３０は、該受け取った伝送情報を利用してＳＭＳメッセージを生成し、該受け取ったＭＩＮ情報に基づいてＨＬＲ２１０から当該移動通信端末の位置情報を取り込む（Ｓ１６６、Ｓ１６８、Ｓ１７０）。
次いで、上記過程Ｓ１７０において取り込んだ位置情報に基づいて伝送情報及びＭＩＮ情報を、当該移動通信端末が位置しているセルの基地局に転送する（Ｓ１７２）。
上記過程Ｓ１７２を通じて伝送情報及びＭＩＮ情報を受け取った基地局は、該受け取った伝送情報及びＭＩＮ情報をページングチャンネルのデータバーストメッセージに乗せて当該移動通信端末に伝送する（Ｓ１７４）。
上記の如く、特定区域へ進入する移動通信端末が検出されれば、提供したい情報をＳＭＳメッセージを利用して当該移動通信端末に伝送する間、所定の区域管理システム６００に備えられている火事感知部６７０で火事発生を感知すれば、区域情報管理サーバー２４０に火事発生を通報する（Ｓ１７６、Ｓ１７８）。
上記過程Ｓ１７８において区域管理システム６００から火事発生を通報された区域情報管理サーバー２４０は、火事発生を通報した区域管理システム６００の管轄領域に位置している移動通信端末のＭＩＮ情報リストと火事発生に係る案内メントを当該ＳＭＳサーバー２２０に転送する（Ｓ１８０）。
上記過程Ｓ１８０を通じて区域情報管理サーバー２４０からＭＩＮ情報リストと案内メントを受け取ったＳＭＳサーバー２２０は、該受け取った案内メント及びＭＩＮ情報リストをＳＭＣ２３０に伝送し、ＳＭＣ２３０は、該受け取った案内メントを利用してＳＭＳメッセージを生成し、該受け取ったＭＩＮ情報リストに基づいてＨＬＲ２１０から当該移動通信端末の位置情報を取り込む（Ｓ１８２、Ｓ１８４、Ｓ１８６）。
次いで、上記過程Ｓ１８６において取り込んだ位置情報に基づいて案内メント及びＭＩＮ情報を当該移動通信端末が位置しているセルの基地局に転送する（Ｓ１８８）。
上記過程Ｓ１８８を通じて伝送情報及びＭＩＮ情報を受け取った基地局は、該受け取った伝送情報及びＭＩＮ情報をページングチャンネルのデータバーストメッセージに乗せて当該移動通信端末に伝送する（Ｓ１９０）。
なお、上記過程Ｓ１５０ないし過程Ｓ１５２を、区域管理システム６００が位置登録要求メッセージを利用して特定区域へ進入する移動通信端末１４０に位置登録を要求し、位置登録を要求された移動通信端末１４０からＭＩＮ情報を含むＢＣＤＭＡ信号を受信する過程に代替してよい。
一方、上記過程Ｓ１５０を通じて区域管理システム６００が送り出す特定区域通報周波数信号を感知した移動通信端末１４０が、ＭＩＮ情報の代りにＭＡＣアドレスをＢＣＤＭＡ信号に乗せて区域管理システム６００に伝送する場合、移動通信端末１４０が送り出したＢＣＤＭＡ信号を受信した区域管理システム６００は、該受信したＢＣＤＭＡ信号からＭＡＣアドレスを抽出して地域識別情報とともに区域情報管理サーバー２４０に伝送し、区域管理システム６００からＭＡＣアドレスと地域識別情報を受け取った区域情報管理サーバー２４０は、区域管理システム６００から受け取ったＭＡＣアドレスでＭＩＮ情報データベースを検索し、当該ＭＡＣアドレスにマッチしているＭＩＮ情報を検索する。次いで、該検索されたＭＩＮ情報に基づいて当該加入者が加入している移動通信事業者を確認し、該確認された移動通信事業者の移動通信網に備えられているＨＬＲ２１０にＭＩＮ情報と地域識別情報を伝送し位置登録を要求する。そして、該検索されたＭＩＮ情報に基づいて当該加入者に対して個別的に伝送する情報を検索し、地域識別情報に基づいて当該地域へと提供する情報を検索した後、該検索された伝送情報とＭＩＮ情報を当該ＳＭＳサーバー２２０に転送する。
図２９ａ及び図２９ｂは、本発明のまた他の実施の形態による特定区域別パーソナル情報提供方法を説明するためのフローチャートであって、図１７ないし図２０を参照して説明を進めていく。
まず、区域管理システム７００は、周期的に自分の管轄サービス地域に特定区域通報周波数を送り出し（Ｓ２００）、区域管理システム７００が送り出す特定区域通報周波数を感知した移動通信端末１５０は、ジグビーチップの動作モードを活性化させ、自分のＭＩＮ情報をジグビー用周波数帯域である２．４ＧＨz帯／９１５ＭＨz帯／８６８ＭＨz帯のマイクロ波に乗せて区域管理システム７００に伝送する。
上記の如く、移動通信端末１５０が送り出すマイクロ波は、区域管理システム７００が受信し、区域管理システム７００は、該受信したマイクロ波からＭＩＮ情報を抽出し（Ｓ２０２、Ｓ２０４）、該抽出したＭＩＮ情報と地域識別情報を区域情報管理サーバー２４０に伝送する（Ｓ２０６）。
上記過程Ｓ２０６において区域管理システム７００からＭＩＮ情報と地域識別情報を受け取った区域情報管理サーバー２４０は、該受け取ったＭＩＮ情報に基づいて当該加入者が加入している移動通信事業者を確認し、該確認された移動通信事業者の移動通信網に備えられているＨＬＲに該抽出したＭＩＮ情報と地域識別情報を伝送し位置登録を要求する（Ｓ２０８、Ｓ２１０）。
上記過程Ｓ２１０において位置登録を要求されたＨＬＲ２１０は、位置登録要求とともに受け取ったＭＩＮ情報と地域識別情報に基づいて位置登録を行う。
次いで、上記過程Ｓ２０６を通じて区域管理システム７００から受け取ったＭＩＮ情報に基づいて当該加入者に対して個別的に伝送する情報を検索し、ＭＩＮ情報とともに受け取った地域識別情報に基づいて当該地域へと提供する情報を検索する（Ｓ２１２）。
次いで、上記過程Ｓ２１２において検索された情報とＭＩＮ情報を当該ＳＭＳサーバー２２０に転送する（Ｓ２１４）。
上記過程Ｓ２１４を通じて区域情報管理サーバー２４０からＭＩＮ情報にあたる移動通信端末に伝送する情報を受け取ったＳＭＳサーバー２２０は、該受け取った伝送情報及びＭＩＮ情報をＳＭＣ２３０に転送し、ＳＭＳサーバー２２０から伝送情報及びＭＩＮ情報を受け取ったＳＭＣ２３０は、該受け取った伝送情報を利用してＳＭＳメッセージを生成し、該受け取ったＭＩＮ情報に基づいてＨＬＲ２１０から当該移動通信端末の位置情報を取り込む（Ｓ２１６、Ｓ２１８、Ｓ２２０）。
次いで、上記過程Ｓ２２０において取り込んだ位置情報に基づいてＳＭＳメッセージ及びＭＩＮ情報を、ＭＳＣ（図示せず）を介して当該移動通信端末が位置しているセルの基地局に転送する（Ｓ２２２）。
上記過程Ｓ２２２を通じて伝送情報及びＭＩＮ情報を受け取った基地局は、該受け取った伝送情報及びＭＩＮ情報をページングチャンネルのデータバーストメッセージに乗せて当該移動通信端末に伝送する（Ｓ２２４）。
上記の如く、特定区域へ進入する移動通信端末が検出されれば、提供したい情報をＳＭＳメッセージを利用して当該移動通信端末に伝送する間、所定の区域管理システム７００に備えられている火事感知部７７０で火事発生を感知すれば、区域情報管理サーバー２４０に火事発生を通報する（Ｓ２２６、Ｓ２２８）。
上記過程Ｓ２２８において区域管理システム７００から火事発生を通報された区域情報管理サーバー２４０は、火事発生を通報した区域管理システム７００の管轄領域に位置している移動通信端末のＭＩＮ情報リストと火事発生に係る案内メントを当該ＳＭＳサーバー２２０に転送する（Ｓ２３０）。
上記過程Ｓ２３０を通じて区域情報管理サーバー２４０からＭＩＮ情報リストと案内メントを受け取ったＳＭＳサーバー２２０は、該受け取った案内メント及びＭＩＮ情報リストをＳＭＣ２３０に伝送し、ＳＭＣ２３０は、該受け取った案内メントを利用してＳＭＳメッセージを生成し、該受け取ったＭＩＮ情報リストに基づいてＨＬＲ２１０から当該移動通信端末の位置情報を取り込む（Ｓ２３２、Ｓ２３４、Ｓ２３６）。
次いで、上記過程Ｓ２３６において取り込んだ位置情報に基づいてＳＭＳメッセージ及びＭＩＮ情報を、ＭＳＣ（図示せず）を介して当該移動通信端末が位置しているセルの基地局に転送する（Ｓ２３８）。
上記過程Ｓ２３８を通じて伝送情報及びＭＩＮ情報を受け取った基地局は、該受け取った伝送情報及びＭＩＮ情報をページングチャンネルのデータバーストメッセージに乗せて当該移動通信端末に伝送する（Ｓ２４０）。
なお、上記過程Ｓ２００ないし過程Ｓ２０２を、区域管理システム７００が位置登録要求メッセージを利用して特定区域へ進入する移動通信端末１５０に位置登録を要求し、位置登録を要求された移動通信端末１５０からＭＩＮ情報を含むマイクロ波を受信する過程に代替してもよい。
一方、上記過程Ｓ２００を通じて区域管理システム７００が送り出す特定区域通報周波数信号を感知した移動通信端末１５０が、ＭＩＮ情報の代りにＭＡＣアドレスをマイクロ波に乗せて区域管理システム７００に伝送する場合、移動通信端末１５０が送り出したマイクロ波を受信した区域管理システム７００は、該受信したマイクロ波からＭＡＣアドレスを抽出して地域識別情報とともに区域情報管理サーバー２４０に伝送し、区域管理システム７００からＭＡＣアドレスと地域識別情報を受け取った区域情報管理サーバー２４０は、区域管理システム７００から受け取ったＭＡＣアドレスでＭＩＮ情報データベースを検索し、当該ＭＡＣアドレスにマッチしているＭＩＮ情報を検索する。次いで、該検索されたＭＩＮ情報に基づいて当該加入者が加入している移動通信事業者を確認し、該確認された移動通信事業者の移動通信網に備えられているＨＬＲ２１０にＭＩＮ情報と地域識別情報を伝送し位置登録を要求する。そして、検索されたＭＩＮ情報に基づいて当該加入者に対して個別的に伝送する情報を検索し、地域識別情報に基づいて当該地域へと提供する情報を検索した後、該検索された伝送情報とＭＩＮ情報を当該ＳＭＳサーバー２２０に転送する。
図３０ａ及び図３０ｂは、本発明のまた他の実施の形態による特定区域別パーソナル情報提供方法を説明するためのフローチャートであって、図２１ないし図２４を参照して説明する。
まず、区域管理システム８００は、周期的に自分の管轄サービス地域に特定区域通報周波数信号を送り出し（Ｓ２５０）、区域管理システム８００が送り出す特定区域通報周波数信号を感知した移動通信端末１６０は、ＲＦＩＤチップの動作モードを活性化させ、自分のＭＩＮ情報をラジオ波に乗せて区域管理システム８００に伝送する。
上記の如く、移動通信端末１６０が送り出すラジオ波は、区域管理システム８００が受信し、区域管理システム８００は、該受信したラジオ波からＭＩＮ情報を抽出し（Ｓ２５２、Ｓ２５４）、該抽出したＭＩＮ情報と地域識別情報を区域情報管理サーバー２４０に伝送する（Ｓ２５６）。
上記過程Ｓ２５６において区域管理システム８００からＭＩＮ情報と地域識別情報を受け取った区域情報管理サーバー２４０は、該受け取ったＭＩＮ情報に基づいて当該加入者が加入している移動通信事業者を確認し、該確認された移動通信事業者の移動通信網に備えられているＨＬＲ２１０に該抽出したＭＩＮ情報と地域識別情報を伝送し位置登録を要求する（Ｓ２５８、Ｓ２６０）。
上記過程Ｓ２６０において位置登録を要求されたＨＬＲ２１０は、位置登録要求とともに受け取ったＭＩＮ情報と地域識別情報に基づいて位置登録を行う。
次いで、上記過程Ｓ２５６を通じて区域管理システム８００から受け取ったＭＩＮ情報に基づいて当該加入者に対して個別的に伝送する情報を検索し、ＭＩＮ情報とともに受け取った地域識別情報に基づいて当該地域へと提供する情報を検索する（Ｓ２６２）。
次いで、上記過程Ｓ２６２において検索された伝送情報とＭＩＮ情報を、当該ＳＭＳサーバー２２０に転送する（Ｓ２６４）。
上記過程Ｓ２６４を通じて区域情報管理サーバー２４０からＭＩＮ情報にあたる移動通信端末に伝送する情報を受け取ったＳＭＳサーバー２２０は、該受け取った伝送情報及びＭＩＮ情報をＳＭＣ２３０に転送し、ＳＭＳサーバー２２０から伝送情報及びＭＩＮ情報を受け取ったＳＭＣ２３０は、該受け取った伝送情報を利用してＳＭＳメッセージを生成し、該受け取ったＭＩＮ情報に基づいてＨＬＲ２１０から当該移動通信端末の位置情報を取り込む（Ｓ２６６、Ｓ２６８、Ｓ２７０）。
次いで、上記過程Ｓ２７０において取り込んだ位置情報に基づいて伝送情報及びＭＩＮ情報を当該移動通信端末が位置しているセルの基地局に転送する（Ｓ２７２）。
上記過程Ｓ２７２を通じて伝送情報及びＭＩＮ情報を受け取った基地局は、該受け取った伝送情報及びＭＩＮ情報をページングチャンネルのデータバーストメッセージに乗せて当該移動通信端末に伝送する（Ｓ２７４）。
上記の如く、特定区域へ進入する移動通信端末が検出されれば、提供したい情報をＳＭＳメッセージを利用して当該移動通信端末に伝送する間、所定の区域管理システム８００に備えられている火事感知部８７０で火事発生を感知すれば、区域情報管理サーバー２４０に火事発生を通報する（Ｓ２７６、Ｓ２７８）。
上記過程Ｓ２７８において区域管理システム８００から火事発生を通報された区域情報管理サーバー２４０は、火事発生を通報した区域管理システム８００の管轄領域に位置している移動通信端末のＭＩＮ情報リストと火事発生に係る案内メントを当該ＳＭＳサーバー２２０に転送する（Ｓ２８０）。
上記過程Ｓ２８０を通じて区域情報管理サーバー２４０からＭＩＮ情報リストと案内メントを受け取ったＳＭＳサーバー２２０は、該受け取った案内メント及びＭＩＮ情報リストをＳＭＣ２３０に伝送し、ＳＭＣ２３０は、該受け取った案内メントを利用してＳＭＳメッセージを生成し、該受け取ったＭＩＮ情報リストに基づいてＨＬＲ２１０から当該移動通信端末の位置情報を取り込む（Ｓ２８２、Ｓ２８４、Ｓ２８６）。
次いで、上記過程Ｓ２８６において取り込まれた位置情報に基づいて案内メント及びＭＩＮ情報を当該移動通信端末が位置しているセルの基地局に転送する（Ｓ２８８）。
上記過程Ｓ２８８を通じて伝送情報及びＭＩＮ情報を受け取った基地局は、該受け取った伝送情報及びＭＩＮ情報をページングチャンネルのデータバーストメッセージに乗せて当該移動通信端末に伝送する（Ｓ２９０）。
なお、上記過程Ｓ２５０ないし過程Ｓ２５２を、区域管理システム８００が位置登録要求メッセージを利用して特定区域へ進入する移動通信端末１６０に位置登録を要求し、位置登録を要求された移動通信端末１６０からＭＩＮ情報を含むラジオ波を受信する過程に代替してもよい。
一方、上記過程Ｓ２５０を通じて区域管理システム８００が送り出す特定区域通報周波数信号を感知した移動通信端末１６０が、ＭＩＮ情報の代りにＭＡＣアドレスをラジオ波に乗せて区域管理システム８００に伝送する場合、移動通信端末１６０が送り出したラジオ波を受信した区域管理システム８００は、該受信したラジオ波からＭＡＣアドレスを抽出して地域識別情報とともに区域情報管理サーバー２４０に伝送し、区域管理システム８００からＭＡＣアドレスと地域識別情報を受け取った区域情報管理サーバー２４０は、区域管理システム８００から受け取ったＭＡＣアドレスでＭＩＮ情報データベースを検索し、当該ＭＡＣアドレスにマッチしているＭＩＮ情報を検索する。
次いで、該検索されたＭＩＮ情報に基づいて当該加入者が加入している移動通信事業者を確認し、該確認された移動通信事業者の移動通信網に備えられているＨＬＲ２１０にＭＩＮ情報と地域識別情報を伝送し位置登録を要求する。
そして、該検索されたＭＩＮ情報に基づいて当該加入者に対して個別的に伝送する情報を検索し、地域識別情報に基づいて当該地域へと提供する情報を検索した後、該検索された伝送情報とＭＩＮ情報を当該ＳＭＳサーバー２２０に転送する。
【産業上の利用可能性】
【０１０５】
本発明の特定区域別パーソナル情報提供システム及び方法は、特定区域内へ進入する移動通信端末のＭＩＮ情報を確保し、当該区域へ提供したい情報及び確保されたＭＩＮ情報をＳＭＳサーバーに伝送し、当該区域へ提供したい情報を当該移動通信端末に伝送することにより、特定区域に位置する移動通信加入者に対して差別化した情報を提供することができる特定区域別パーソナル情報提供システム及び方法として有用である。また、ＨＬＲで移動通信加入者の現在地を詳しく把握しており、当該移動通信加入者が位置している基地局を利用してページメッセージを伝送するようになるため、無線チャンネルの濫用を防止することができる特定区域別パーソナル情報提供システム及び方法として有用である。
【０１０６】
以上、本発明の好適な実施の形態について説明したが、当該技術分野における熟練した当業者であれば、特許請求の範囲に記載した本発明の思想及び範囲から逸脱することなく本発明を様々に修正及び変更できることはいうまでもない。
【図面の簡単な説明】
【０１０７】
【図１】本発明の一実施の形態による特定区域別パーソナル情報提供システムの構成を示す図である。
【図２】図１における一実施の形態による区域管理システム構成を示す図である。
【図３】図２における高周波処理部の構成を例示的に示す図である。
【図４】図１における他の実施の形態による区域管理システム構成を示す図である。
【図５】本発明の他の実施の形態による特定区域別パーソナル情報提供システムの構成を示す図である。
【図６】図５における移動通信端末の構成を示す図である。
【図７】図５における一実施の形態による区域管理システムの構成を示す図である。
【図８】図５における他の実施の形態による区域管理システムの構成を示す図である。
【図９】本発明のまた他の実施の形態による特定区域別パーソナル情報提供システムの構成を示す図である。
【図１０】図９における移動通信端末の構成を示す図である。
【図１１】図９における一実施の形態による区域管理システムの構成を示す図である。
【図１２】図９における他の実施の形態による区域管理システムの構成を示す図である。
【図１３】本発明のまた他の実施の形態による特定区域別パーソナル情報提供システムの構成を示す図である。
【図１４】図１３における移動通信端末の構成を示す図である。
【図１５】図１３における一実施の形態による区域管理システムの構成を示す図である。
【図１６】図１３における他の実施の形態による区域管理システムの構成を示す図である。
【図１７】本発明のまた他の実施の形態による特定区域別パーソナル情報提供システムの構成を示す図である。
【図１８】図１７における移動通信端末の構成を示す図である。
【図１９】図１７における一実施の形態による区域管理システムの構成を示す図である。
【図２０】図１７における他の実施の形態による区域管理システムの構成を示す図である。
【図２１】本発明のまた他の実施の形態による特定区域別パーソナル情報提供システムの構成を示す図である。
【図２２】図２１における移動通信端末の構成を示す図である。
【図２３】図２１における一実施の形態による区域管理システムの構成を示す図である。
【図２４】図２１における他の実施の形態による区域管理システムの構成を示す図である。
【図２５ａ】及び
【図２５ｂ】本発明の一実施の形態による特定区域別パーソナル情報提供方法を説明するためのフローチャートである。
【図２６ａ】及び
【図２６ｂ】本発明の他の実施の形態による特定区域別パーソナル情報提供方法を説明するためのフローチャートである。
【図２７ａ】及び
【図２７ｂ】本発明のまた他の実施の形態による特定区域別パーソナル情報提供方法を説明するためのフローチャートである。
【図２８ａ】及び
【図２８ｂ】本発明のまた他の実施の形態による特定区域別パーソナル情報提供方法を説明するためのフローチャートである。
【図２９ａ】及び
【図２９ｂ】本発明のまた他の実施の形態による特定区域別パーソナル情報提供方法を説明するためのフローチャートである。
【図３０ａ】及び
【図３０ｂ】本発明のまた他の実施の形態による特定区域別パーソナル情報提供方法を説明するためのフローチャートである。
【符号の説明】
【０１０８】
１４１  キー入力部
１４２  無線処理部
１４３  送受話器部
１４４  ディスプレイ部
１４５  メモリ部
１４６  特定区域感知部
１４７  ＢＣＤＭＡ信号処理部
１４８  制御部
１４９  電源部
２００  基地局
２１０  ＨＬＲ
５１０  アンテナ
５２０  特定区域通報周波数処理部
５３０  受信マイクロ波処理部
５４０  通信部
５５０  制御部
５６０  電源部
５７０  火事感知部
【図１】
2007527144.tif 000003
【図２】
2007527144.tif 000004
【図３】
2007527144.tif 000005
【図４】
2007527144.tif 000006
【図５】
2007527144.tif 000007
【図６】
2007527144.tif 000008
【図７】
2007527144.tif 000009
【図８】
2007527144.tif 000010
【図９】
2007527144.tif 000011
【図１０】
2007527144.tif 000012
【図１１】
2007527144.tif 000013
【図１２】
2007527144.tif 000014
【図１３】
2007527144.tif 000015
【図１４】
2007527144.tif 000016
【図１５】
2007527144.tif 000017
【図１６】
2007527144.tif 000018
【図１７】
2007527144.tif 000019
【図１８】
2007527144.tif 000020
【図１９】
2007527144.tif 000021
【図２０】
2007527144.tif 000022
【図２１】
2007527144.tif 000023
【図２２】
2007527144.tif 000024
【図２３】
2007527144.tif 000025
【図２４】
2007527144.tif 000026
【図２５ａ】
2007527144.tif 000027
【図２５ｂ】
2007527144.tif 000028
【図２６ａ】
2007527144.tif 000029
【図２６ｂ】
2007527144.tif 000030
【図２７ａ】
2007527144.tif 000031
【図２７ｂ】
2007527144.tif 000032
【図２８ａ】
2007527144.tif 000033
【図２８ｂ】
2007527144.tif 000034
【図２９ａ】
2007527144.tif 000035
【図２９ｂ】
2007527144.tif 000036
【図３０ａ】
2007527144.tif 000037
【図３０ｂ】
2007527144.tif 000038
【国際調査報告】
2007527144.tif 000039
2007527144.tif 000040